(57)【要約】【課題】オーディオ信号を主として記録する場合にユーザにとって多用途に再生することができて使い勝手がよいオーディオディスクを得るための記録方法を提供する。  【解決手段】  オーディオディスクは以下のデータ配列で構成される。第１のオーディオ記録ゾーンはＳＡＭＧ（簡易オーディオマネージャ）、ＡＭＧ（オーディオマネージャ）、ＡＴＳ（オーディオタイトルセット）から構成され、第２のオーディオ記録ゾーンはＣＡＭＧ（圧縮オーディオマネージャ）と圧縮オーディオファイルとから構成される。ＡＴＳの楽曲にはリニアＰＣＭデータまたはロスレス圧縮データが配置され、圧縮オーディオファイルにはこの同一の楽曲がＡＡＣ方式やＡＣ−３方式などのロスあり圧縮方式のデータに変換された状態で配置される。ＣＡＭＧには圧縮オーディオファイルの制御情報と共にテキスト情報が配置される。【選択図】      図２９
2006048889.tif 000002
【特許請求の範囲】
【請求項１】
１つの楽曲をそれぞれ含む複数のトラックがグループを構成して記録されると共に、そ
の各トラックを再生側で再生するための第１の制御情報を有する第１の管理情報が記録さ
れるエリアであり、前記楽曲はDVDオーディオ規格で規定されるサンプリング周波数及び
量子化ビット数で量子化されたリニアPCM信号による楽曲、または前記リニアPCM信号に基
づくロスレス圧縮された信号による楽曲であり、前記第１の管理情報は前記グループに関
するグループ情報を含む第１の制御情報を有する情報である第１のオーディオゾーンと、
その第１のオーディオゾーンとは別に、所定のロスあり圧縮された信号による楽曲を記
録するためのエリアである第２のオーディオゾーンとを、オーディオディスクに設け、
前記第２のオーディオゾーンに、前記所定のロスあり圧縮された信号による１つの楽曲
をそれぞれ格納した複数のファイルと、その各ファイルを再生側で再生するための第２の
制御情報を含む第２の管理情報とを記録する記録方法であり、
前記複数のファイルにそれぞれ格納された各楽曲は、前記第１のオーディオゾーンのい
ずれか一つのトラックに含まれる楽曲に対応する楽曲であり、
前記複数のファイルは前記第１のオーディオゾーンにおけるグループに対応したグルー
プを構成して記録され、
前記第２の管理情報は、前記第２のオーディオゾーンにおけるグループに関するグルー
プ情報を含む第２の制御情報を有する情報として記録されることを特徴とする記録方法。
【請求項２】
１つの楽曲を含むトラックがグループを構成して記録されると共に、そのトラックを再
生側で再生するための第１の制御情報を含む第１の管理情報が記録されるエリアであり、
前記楽曲はDVDオーディオ規格で規定されるサンプリング周波数及び量子化ビット数で量
子化されたリニアPCM信号による楽曲、または前記リニアPCM信号に基づくロスレス圧縮さ
れた信号による楽曲であり、前記第１の管理情報は前記グループに関するグループ情報を
含む第１の制御情報を有する情報である第１のオーディオゾーンと、
その第１のオーディオゾーンとは別に、所定のロスあり圧縮された信号による楽曲を記
録するためのエリアである第２のオーディオゾーンとを、オーディオディスクに設け、
前記第２のオーディオゾーンに、前記第１のオーディオゾーンの１つのトラックに対応
する楽曲が前記所定のロスあり圧縮された信号を格納したファイルと、そのファイルを再
生側で再生するための第２の制御情報を含む第２の管理情報とを記録する記録方法であり
、
前記ファイルは前記第１のオーディオゾーンにおけるグループに対応したグループを構
成して記録され、
前記第２の管理情報は、前記第２のオーディオゾーンにおけるグループに関するグルー
プ情報を含む第２の制御情報を有する情報として記録されることを特徴とする記録方法。
【請求項３】
１つの楽曲をそれぞれ含む複数のトラックがグループを構成して記録されると共に、そ
の各トラックを再生側で再生するための第１の制御情報を有する第１の管理情報が記録さ
れるエリアであり、前記楽曲はDVDオーディオ規格で規定されるサンプリング周波数及び
量子化ビット数で量子化されたリニアPCM信号による楽曲、または前記リニアPCM信号に基
づくロスレス圧縮された信号による楽曲であり、前記第１の管理情報は前記グループに関
するグループ情報を含む第１の制御情報を有する情報である第１のオーディオゾーンと、
その第１のオーディオゾーンとは別に、所定のロスあり圧縮された信号による楽曲を記
録するためのエリアである第２のオーディオゾーンとを、オーディオディスクに設け、
前記第２のオーディオゾーンに、前記所定のロスあり圧縮された信号による１つの楽曲
をそれぞれ格納した複数のファイルと、その各ファイルを再生側で再生するための第２の
制御情報を含む第２の管理情報と、前記各ファイルに格納された各楽曲に関する情報であ
るテキスト情報とを記録する記録方法であり、
前記複数のファイルにそれぞれ格納された各楽曲は、前記第１のオーディオゾーンのい
ずれか一つのトラックに含まれる楽曲に対応する楽曲であり、
前記複数のファイルは前記第１のオーディオゾーンにおけるグループに対応したグルー
プを構成して記録され、
前記第２の管理情報は、前記第２のオーディオゾーンにおけるグループに関するグルー
プ情報を含む第２の制御情報を有する情報として記録されることを特徴とする記録方法。
【請求項４】
１つの楽曲を含むトラックがグループを構成して記録されると共に、そのトラックを再
生側で再生するための第１の制御情報を含む第１の管理情報が記録されるエリアであり、
前記楽曲はDVDオーディオ規格で規定されるサンプリング周波数及び量子化ビット数で量
子化されたリニアPCM信号による楽曲、または前記リニアPCM信号に基づくロスレス圧縮さ
れた信号による楽曲であり、前記第１の管理情報は前記グループに関するグループ情報を
含む第１の制御情報を有する情報である第１のオーディオゾーンと、
その第１のオーディオゾーンとは別に、所定のロスあり圧縮された信号による楽曲を記
録するためのエリアである第２のオーディオゾーンとを、オーディオディスクに設け、
前記第２のオーディオゾーンに、前記第１のオーディオゾーンの１つのトラックに対応
する楽曲が前記所定のロスあり圧縮された信号を格納したファイルと、そのファイルを再
生側で再生するための第２の制御情報を含む第２の管理情報と、前記楽曲に関する情報で
あるテキスト情報とを記録する記録方法であり、
前記ファイルは前記第１のオーディオゾーンにおけるグループに対応したグループを構
成して記録され、
前記第２の管理情報は、前記第２のオーディオゾーンにおけるグループに関するグルー
プ情報を含む第２の制御情報を有する情報として記録されることを特徴とする記録方法。
【請求項５】
前記第１のオーディオゾーンの１つのトラックに対応する楽曲が複数のロスあり圧縮方
式でそれぞれロスあり圧縮された信号を各別に格納した複数のファイルを、ファイル名を
共通とし、そのファイル名に付される拡張子を前記複数のロスあり圧縮方式のそれぞれに
対応して異なる拡張子として設定して、前記第２のオーディオゾーンに記録することを特徴とする請求項１乃至４のいずれか一つに記載の記録方法。
【請求項６】
請求項１乃至５のいずれか一つに記載の記録方法によりオーディオディスクに記録され
た楽曲を再生する再生装置であって、
前記オーディオディスクにおける前記第１のオーディオゾーンに記録されている楽曲を
前記第１のオーディオゾーンにおけるグループ単位で読み出すか、前記第２のオーディオ
ゾーンに記録されている楽曲を前記第２のオーディオゾーンにおけるグループ単位で読み
出すかを選択して楽曲を読み出す読み出し手段と、
前記読み出し手段により読み出された楽曲を、その楽曲に対応する読み出された前記第
１または第２の制御情報に応じて前記グループ単位で再生する再生手段と、
を設けたことを特徴とする再生装置。
【請求項７】
請求項１乃至５のいずれか一つに記載の記録方法によりオーディオディスクに記録され
た楽曲をコピー先メディアに記録し再生する記録再生方法であって、
前記オーディオディスクにおける前記第１のオーディオゾーンに記録されている楽曲か
、前記第２のオーディオゾーンに記録されている楽曲かを選択して読み出す読み出しステ
ップと、
前記読み出しステップにより読み出された楽曲を前記コピー先メディアに記録する記録
ステップと、
前記コピー先メディアに記録された楽曲を再生する再生ステップと、
を備えたことを特徴とする記録再生方法。
【発明の詳細な説明】
【技術分野】
【０００１】
本発明は、記録方法、再生装置、及び記録再生方法に関するものである。
【背景技術】
【０００２】
従来のオーディオ再生用光ディスクとしては、ＣＤ（コンパクトディスク）が知られている。また、ＣＤより高密度な光ディスクとしてＤＶＤ（デジタルビデオディスク）が知られている。しかしながら、ＤＶＤ（以下、ＤＶＤ−ビデオ）ではビデオ信号が主、オーディオ信号が従として記録されるので、次のような問題点があった。
（１）オーディオ信号がビデオ信号と一体化されており、オーディオ信号の記録容量が少ない。
（２）オーディオ信号の時間を管理することができない。
（３）高品位な記録及びロスレス圧縮記録ができない。
【０００３】
また、ビデオに比べて、オーディオのユーザは多様な使い方をし、そのユーザ層も幅広いので、ＣＤのようにＴＯＣ（テーブルオブコンテンツ）の領域を設けることにより簡易にした再生方法が提供されている。しかしながら、ＤＶＤ−ビデオの場合、ナビゲーションコントロールパック（ＣＯＮＴパック）と複数のビデオ（Ｖ）パック及びオーディオ（Ａ）パックによりビデオコンテンツブロックユニットを構成してＶ、Ａパックの再生などをＣＯＮＴパックにより制御する。このため、オーディオ信号を主として記録しようとしても、ユーザにとって簡易に再生することができず、使い勝手が悪いという問題点があった。
【０００４】
また、ＤＶＤ−ビデオでは、時間管理をビデオフレーム単位でのみ行うので、オーディオ信号を主として記録しようとしても、ビデオに比べてオーディオ信号は連続性が重要であるので、実時間の管理が困難であるという問題点がある。
【０００５】
そこで、本出願人は特許文献１：特開平１１-１８５４５０号公報により、上記問題点に鑑み、オーディオ信号を主として記録する場合にユーザにとって簡易に再生することができて使い勝手がよいオーディオディスクのエンコード装置、および、オーディオ信号を主として記録する場合に実時間の管理を簡単にすることができるオーディオディスクのエンコード装置を提案している。一方、オーディオ信号の記録容量を有効に活用できるＡＡＣ方式やＡＣ−３方式などの圧縮オーディオに対応していない、という問題を新たに解決するために長時間記録が可能な圧縮オーディオディスクの記録装置を特許文献２：特開２００２-３５８７３２号公報により提案している。
【０００６】
本発明はこれらの両方の符号化方式を統一的に記録可能とする記録方法、その記録方法で記録されたデータを再生する再生装置、及び記録再生方法を提供することを目的とする。
【特許文献１】特開平１１-１８５４５０号公報
【特許文献２】特開２００２-３５８７３２号公報
【発明の開示】
【発明が解決しようとする課題】
【０００７】
従来のオーディオディスクでは、
（１）オーディオ信号がビデオ信号と一体化されており、オーディオ信号の記録容量が少ない、
（２）オーディオ信号の時間を管理することができない、
（３）高品位な記録及びロスレス圧縮記録ができない、
（４）オーディオ信号の記録時間をさらに増加させる圧縮オーディオに対応していない、
（５）使い勝手が悪い、。
などの問題があり、これらを全て解決することが課題であった。
【０００８】
そこで本発明は、上記（１）〜（５）を解決することを目的とする。
【課題を解決するための手段】
【０００９】
そこで、上記課題を解決するために本発明は、下記の記録方法、再生装置、及び記録再生方法を提供するものである。なお、本発明における「楽曲」とは、区切りのある曲を意味し、曲自体の内容は問わないことは勿論のこととして、楽章なども含まれる。
（１）
１つの楽曲をそれぞれ含む複数のトラックがグループを構成して記録されると共に、その各トラックを再生側で再生するための第１の制御情報を有する第１の管理情報が記録されるエリアであり、前記楽曲はDVDオーディオ規格で規定されるサンプリング周波数及び量子化ビット数で量子化されたリニアPCM信号による楽曲、または前記リニアPCM信号に基づくロスレス圧縮された信号による楽曲であり、前記第１の管理情報は前記グループに関するグループ情報を含む第１の制御情報を有する情報である第１のオーディオゾーンと、
その第１のオーディオゾーンとは別に、所定のロスあり圧縮された信号による楽曲を記録するためのエリアである第２のオーディオゾーンとを、オーディオディスクに設け、
前記第２のオーディオゾーンに、前記所定のロスあり圧縮された信号による１つの楽曲をそれぞれ格納した複数のファイルと、その各ファイルを再生側で再生するための第２の制御情報を含む第２の管理情報とを記録する記録方法であり、
前記複数のファイルにそれぞれ格納された各楽曲は、前記第１のオーディオゾーンのいずれか一つのトラックに含まれる楽曲に対応する楽曲であり、
前記複数のファイルは前記第１のオーディオゾーンにおけるグループに対応したグループを構成して記録され、
前記第２の管理情報は、前記第２のオーディオゾーンにおけるグループに関するグループ情報を含む第２の制御情報を有する情報として記録されることを特徴とする記録方法。
（２）
１つの楽曲を含むトラックがグループを構成して記録されると共に、そのトラックを再生側で再生するための第１の制御情報を含む第１の管理情報が記録されるエリアであり、前記楽曲はDVDオーディオ規格で規定されるサンプリング周波数及び量子化ビット数で量子化されたリニアPCM信号による楽曲、または前記リニアPCM信号に基づくロスレス圧縮された信号による楽曲であり、前記第１の管理情報は前記グループに関するグループ情報を含む第１の制御情報を有する情報である第１のオーディオゾーンと、
その第１のオーディオゾーンとは別に、所定のロスあり圧縮された信号による楽曲を記録するためのエリアである第２のオーディオゾーンとを、オーディオディスクに設け、
前記第２のオーディオゾーンに、前記第１のオーディオゾーンの１つのトラックに対応する楽曲が前記所定のロスあり圧縮された信号を格納したファイルと、そのファイルを再生側で再生するための第２の制御情報を含む第２の管理情報とを記録する記録方法であり、
前記ファイルは前記第１のオーディオゾーンにおけるグループに対応したグループを構成して記録され、
前記第２の管理情報は、前記第２のオーディオゾーンにおけるグループに関するグループ情報を含む第２の制御情報を有する情報として記録されることを特徴とする記録方法。
（３）
１つの楽曲をそれぞれ含む複数のトラックがグループを構成して記録されると共に、その各トラックを再生側で再生するための第１の制御情報を有する第１の管理情報が記録されるエリアであり、前記楽曲はDVDオーディオ規格で規定されるサンプリング周波数及び量子化ビット数で量子化されたリニアPCM信号による楽曲、または前記リニアPCM信号に基づくロスレス圧縮された信号による楽曲であり、前記第１の管理情報は前記グループに関するグループ情報を含む第１の制御情報を有する情報である第１のオーディオゾーンと、
その第１のオーディオゾーンとは別に、所定のロスあり圧縮された信号による楽曲を記録するためのエリアである第２のオーディオゾーンとを、オーディオディスクに設け、
前記第２のオーディオゾーンに、前記所定のロスあり圧縮された信号による１つの楽曲をそれぞれ格納した複数のファイルと、その各ファイルを再生側で再生するための第２の制御情報を含む第２の管理情報と、前記各ファイルに格納された各楽曲に関する情報であるテキスト情報とを記録する記録方法であり、
前記複数のファイルにそれぞれ格納された各楽曲は、前記第１のオーディオゾーンのいずれか一つのトラックに含まれる楽曲に対応する楽曲であり、
前記複数のファイルは前記第１のオーディオゾーンにおけるグループに対応したグループを構成して記録され、
前記第２の管理情報は、前記第２のオーディオゾーンにおけるグループに関するグループ情報を含む第２の制御情報を有する情報として記録されることを特徴とする記録方法。
（４）
１つの楽曲を含むトラックがグループを構成して記録されると共に、そのトラックを再生側で再生するための第１の制御情報を含む第１の管理情報が記録されるエリアであり、前記楽曲はDVDオーディオ規格で規定されるサンプリング周波数及び量子化ビット数で量子化されたリニアPCM信号による楽曲、または前記リニアPCM信号に基づくロスレス圧縮された信号による楽曲であり、前記第１の管理情報は前記グループに関するグループ情報を含む第１の制御情報を有する情報である第１のオーディオゾーンと、
その第１のオーディオゾーンとは別に、所定のロスあり圧縮された信号による楽曲を記録するためのエリアである第２のオーディオゾーンとを、オーディオディスクに設け、
前記第２のオーディオゾーンに、前記第１のオーディオゾーンの１つのトラックに対応する楽曲が前記所定のロスあり圧縮された信号を格納したファイルと、そのファイルを再生側で再生するための第２の制御情報を含む第２の管理情報と、前記楽曲に関する情報であるテキスト情報とを記録する記録方法であり、
前記ファイルは前記第１のオーディオゾーンにおけるグループに対応したグループを構成して記録され、
前記第２の管理情報は、前記第２のオーディオゾーンにおけるグループに関するグループ情報を含む第２の制御情報を有する情報として記録されることを特徴とする記録方法。
（５）
前記第１のオーディオゾーンの１つのトラックに対応する楽曲が複数のロスあり圧縮方式でそれぞれロスあり圧縮された信号を各別に格納した複数のファイルを、ファイル名を共通とし、そのファイル名に付される拡張子を前記複数のロスあり圧縮方式のそれぞれに対応して異なる拡張子として設定して、前記第２のオーディオゾーンに記録することを特徴とする上記（１）乃至（４）のいずれか一つに記載の記録方法。
（６）
上記（１）乃至（５）のいずれか一つに記載の記録方法によりオーディオディスクに記録された楽曲を再生する再生装置であって、
前記オーディオディスクにおける前記第１のオーディオゾーンに記録されている楽曲を前記第１のオーディオゾーンにおけるグループ単位で読み出すか、前記第２のオーディオゾーンに記録されている楽曲を前記第２のオーディオゾーンにおけるグループ単位で読み出すかを選択して楽曲を読み出す読み出し手段と、
前記読み出し手段により読み出された楽曲を、その楽曲に対応する読み出された前記第１または第２の制御情報に応じて前記グループ単位で再生する再生手段と、
を設けたことを特徴とする再生装置。
（７）
上記（１）乃至（５）のいずれか一つに記載の記録方法によりオーディオディスクに記録された楽曲をコピー先メディアに記録し再生する記録再生方法であって、
前記オーディオディスクにおける前記第１のオーディオゾーンに記録されている楽曲か、前記第２のオーディオゾーンに記録されている楽曲かを選択して読み出す読み出しステップと、
前記読み出しステップにより読み出された楽曲を前記コピー先メディアに記録する記録ステップと、
前記コピー先メディアに記録された楽曲を再生する再生ステップと、
を備えたことを特徴とする記録再生方法。
【発明の効果】
【００１０】
本発明の記録方法によれば、オーディオディスクにおいて第１のオーディオゾーンのトラックに対応する全部または一部の楽曲をファイル単位にそれぞれ圧縮オーディオファイルとして第２のオーディオゾーンに記録するようにしたため即座に、またトランスコーディングせずに圧縮オーディオファイルを取り出すことができ、携帯オーディオ端末によりこのディスクを低消費電力で再生利用することができると共に汎用の再生装置（ＤＶＤオーディオプレーヤ）からこのディスク再生機能を有しない携帯オーディオ端末に高速にコピーすることができるという効果を得ることができる。
【００１１】
また、前記各楽曲に対し、ファイル別に２つ以上の圧縮方式での記録を可能とするようにしたので、携帯オーディオ端末がデコード可能な圧縮方式を選択して即座に再生できるという効果を得ることができる。
【００１２】
また、前記第２のオーディオゾーン中に、前記第１のオーディオゾーンのトラックに対応する全部または一部の楽曲をファイル単位に収録してそのファイルを管理する管理情報（ＣＡＭＧ）、及びテキスト情報と共に記録するようにしたのでテキスト情報と共に再生でき使い勝手が向上する。
【００１３】
本発明の再生装置によれば、前記オーディオディスクにおける前記第１のオーディオゾーンに記録されている楽曲を前記第１のオーディオゾーンにおけるグループ単位で読み出すか、前記第２のオーディオゾーンに記録されている楽曲を前記第２のオーディオゾーンにおけるグループ単位で読み出すかを選択でき、読み出した楽曲をグループ単位で再生できる。
【００１４】
本発明の記録再生方法によれば、携帯オーディオ端末がデコード可能な圧縮方式を選択して記録し即座に再生できるという効果を得ることができる。
【発明を実施するための最良の形態】
【００１５】
以下、図面を参照して本発明の実施の形態を説明する。
【実施例１】
【００１６】
以下、図１〜６５、６９を参照して、本発明に係る一つの実施例として実行される第１及び第２の実施の形態を、その幾つかの変形例と共に説明する。
この実施例では、説明を容易にするため、既知のＤＶＤ（Digital Versatile Disc）のフォーマットの構造を参考１の実施形態及び参考２の実施形態として説明し、その後に、本発明の第１及び第２の実施形態に係るオーディオディスク（ＤＶＤ−オーディオ）、再生装置、再生方法、及び記録方法を説明する。
【００１７】
なお、この本発明に係るオーディオディスク（ＤＶＤ−オーディオ）は、物理的には、印刷面、上層の保護層、レーザ光を反射する反射層、データ記録用の記録層、及び下層の保護層とを有する周知の構造を成している。
【００１８】
［参考１の実施形態］
図１〜８を参照して、参考１の実施形態に係るオーディオディスクを説明する。
図１はＤＶＤ−ビデオのフォーマットと、本発明に係るＤＶＤ−オーディオのフォーマットの参考例の実施形態を示す説明図、図２は図１のオーディオコンテンツブロックユニットを示す説明図、図３は図２のオーディオパックとビデオパックのフォーマットを詳しく示す説明図、図４は図２のオーディオコントロールパックのフォーマットを詳しく示す説明図、図５は図４のオーディオキャラクタディスプレイ（ＡＣＤ）エリアのフォーマットを詳しく示す説明図、図６は図５のネームスペース情報により表示される例を示す説明図、図７は図４のオーディオサーチデータエリアのフォーマットを詳しく示す説明図、図８は図１のオーディオコンテンツブロックユニットの他の構成例を示す説明図である。
【００１９】
図１（ａ）、（ｂ）はそれぞれＤＶＤ−ビデオ、ＤＶＤ−オーディオの各フォーマットを示し、ＤＶＤ−オーディオのフォーマットはエリアの名称が異なるがＤＶＤ−ビデオと互換性を有する。まず、大別してＤＶＤ−ビデオのフォーマットは先頭のビデオマネージャ（ＶＭＧ）と、それに続く複数のビデオタイトルセット（ＶＴＳ）の各エリアにより構成され、他方、ＤＶＤ−オーディオのフォーマットはこれに対応してオーディオマネージャ（ＡＭＧ）と、それに続く複数のオーディオタイトルセット（ＡＴＳ）の各エリアにより構成されている。
【００２０】
ＶＴＳの各々は先頭のＶＴＳインフォメーション（ＶＴＳＩ）と、それに続く１以上のビデオコンテンツブロックセット（ＶＣＢＳ）と最後のＶＴＳＩにより構成され、他方、ＡＴＳの各々はこれに対応して先頭のＡＴＳインフォメーション（ＡＴＳＩ）と、それに続く１以上のオーディオコンテンツブロックセット（ＡＣＢＳ）と最後のＡＴＳＩにより構成されている。ＡＴＳＩには、ＡＣＢＳ内の各曲の演奏時間が実時間でセットされる。
【００２１】
ＶＣＢＳの各々は複数のＶＣＢにより構成され、他方、ＡＣＢＳの各々は複数のＡＣＢにより構成されている。ＶＣＢの各々はビデオの１タイトル（Ｔｉｔｌｅ）分であり、ＡＣＢの各々はこれに対応してオーディオの１タイトル（Ｔｉｔｌｅ）分である。ＶＣＢの各々（１タイトル）は複数のチャプタにより構成され、他方、ＡＣＢの各々（１タイトル）はこれに対応して複数のトラックにより構成されている。チャプタ（Ｃｈａｐｔｅｒ）とトラック（Ｔｒａｃｋ）の各々は共にパートオブタイトル（ＰＴＴ）を含む。
【００２２】
チャプタの各々は複数のセル（ＣＥＬＬ）により構成され、他方、トラックの各々はこれに対応して複数のインデックス（Ｉｎｄｅｘ）により構成されている。セルの各々は複数のＶＣＢユニット（ＶＣＢＵ）により構成され、他方、インデックスの各々はこれに対応して複数のＡＣＢユニット（ＡＣＢＵ）により構成されている。ＶＣＢユニットとＡＣＢユニットの各々は、複数のパックにより構成され、１パックは２０４８バイトで構成されている。
【００２３】
ＶＣＢユニットの各々は、先頭のナビゲーションコントロールパック（以下、ＣＯＮＴパック）と、それに続く複数のビデオ（Ｖ）パック、オーディオ（Ａ）パック及びサブピクチャ（ＳＰ）パックにより構成され、他方、ＡＣＢユニットの各々は、これに対応して先頭のオーディオコントロールパック（以下、Ａ−ＣＯＮＴパック）と、それに続く複数のＡパックとＶパックにより構成されている。
【００２４】
ＣＯＮＴパックには後続のＶパックを制御する情報が配置され、Ａ−ＣＯＮＴパックにはＣＤのＴＯＣ情報のように後続のＡパックのオーディオ信号を管理するための情報が配置される。Ａパックにはオーディオデータが配置され、Ｖパックにはビデオデータの他、オーディオデータ以外の例えばクローズドキャプション（ＣＣ）データが配置される。
【００２５】
そして、図２に示すようにＶＣＢユニットは０．４〜１．０秒分の任意の数のパックにより構成され、ＡＣＢユニットは０．５〜１．０秒分の任意の数のパックにより構成されている。また、ＤＶＤ−オーディオのＡＣＢユニットにおけるＡ−ＣＯＮＴパックは、ＤＶＤ−ビデオのＶＣＢユニットにおける第３パックに配置される。
【００２６】
Ａ−ＣＯＮＴパックは基本的にオーディオ時間の０．５秒単位に配置され、インデックスの切れ目では０．５〜１．０秒の範囲で完結するように配置される。また、オーディオの時間（ＧＯＦ：Group of Audio Frame単位）はＡ−ＣＯＮＴパックにより示され、そのデータ位置はオーディオフレームナンバと、ファーストアクセスユニットポインタとフレームヘッダの数により決まる。また、Ａ−ＣＯＮＴパック直前のＡパックは、オーディオ時間の０．５秒単位でパディングすることを強制しない。
【００２７】
隣接するＡパックは、オーディオ信号が互いに関連するように配置され、例えばステレオの場合にはＬチャネルパックとＲチャネルパックが隣接して配置され、また、５チャネルのマルチチャネルの場合にも同様に隣接して配置される。Ｖパックはオーディオ信号の再生時に映像を表示する場合にそのＡパックに隣接して配置される。ＡパックとＶパックは、図３に示すように２０３４バイトのユーザデータ（Ａデータ、Ｖデータ）に対して４バイトのパックスタート情報と、６バイトのＳＣＲ（System Clock Reference：システム時刻基準参照値）情報と、３バイトMux rate（Multiplex rate：プログラム・ストリームの多重化速度）情報と１バイトのスタッフィングの合計１４バイトが付加されて構成されている（１パック＝合計２０４８バイト）。この場合、タイムスタンプであるＳＣＲ情報を、ＡＣＢユニット内の先頭パックでは「１」として同一タイトル内で連続とすることにより同一タイトル内のＡパックの時間を管理することができる。
【００２８】
これに対し、Ａ−ＣＯＮＴパックは図４に示すように、１４バイトのパックヘッダと、２４バイトのシステムヘッダと、１００３バイトのＡＣＤ（オーディオキャラクタディスプレイ）パケットと、１００７バイトのＡＳＤ（オーディオサーチデータ）パケットにより構成されている。また、ＡＣＤパケットは６バイトのパケットヘッダと、１バイトのサブストリーム（sub stream）ＩＤと、図５に詳しく示すような６３６バイトのＡＣＤ（オーディオキャラクタディスプレイ）情報と、３６０バイトの保留エリア（reservedと示すこともある）により構成されている。ＡＳＤパケットは同じく６バイトのパケットヘッダ及び１バイトのサブストリームＩＤと、図７に詳しく示すような１０００バイトのＡＳＤ（オーディオサーチデータ）により構成されている。
【００２９】
６３６バイトのＡＣＤ情報エリアは、図５に詳しく示すように４８バイトのジェネラル情報エリアと、第１の言語の文字「１」及び第２の言語の文字「２」毎に２９４バイトのエリアを有し、この各エリアは９３バイトのネームスペースエリア、各々９３バイトの２つのフリースペースエリアと１５バイトのデータポインタエリアにより構成されている。第１の言語の文字「１」と第２の言語の文字「２」の一方のネームスペースエリアには例えば図６に示すように楽曲名を日本語で表示するためのデータ（オーディオテキストデータ）が配置され、他方のネームスペースエリアには英語で表示するためのデータ（オーディオテキストデータ）が配置される。なお、この表示言語はディスク発行元が決定してよい。
【００３０】
４８バイトのジェネラル情報は、例えば１６バイトのサービスレベル情報と、１２バイトの言語コード情報と、６バイトの文字セットコード情報と、６バイトの表示アイテム情報と、２バイトの「前のＡＣＤ情報との相違」情報と、６バイトの保留情報により構成される。１６バイトのサービスレベル情報は、表示サイズ、表示の種類、オーディオ／ビデオ／ＳＰの区別、ストリームなどを示し、また、文字はマンダトリー（必須）、ビットマップはオプション（随意）である。１２バイトの言語コード情報はビデオファイルと同様に文字「１」「２」の言語をそれぞれ２バイトで示し、１ファイル中最大８言語分を示す。英語はマンダトリーである。
【００３１】
６バイトの文字セットコード情報は、言語コードに対応した文字コードを最大１５個持つことが可能であり、文字「１」「２」の言語の有無と種類を１バイトで示す。コード例を以下に示す。
１．ＩＳＯ６４６
２．ＩＳＯ８８５９−１
３．ＭＳ−ＪＩＳ
６バイトの表示アイテム情報は、図５に示すフリースペース「１」「２」、データポインタの有無、ＩＤを示す。ネームスペースはマンダトリーであり、タイトルネーム、ミュージックネーム、アーティストネームは必ず記述する。
【００３２】
１０００バイトのＡＳＤ（オーディオサーチデータ）は、図７に詳しく示すように１６バイトのジェネラル情報と、８バイトの現在の番号情報と、１６バイトの現在時刻情報と、８バイトのタイトルセットサーチ情報と、８バイトのタイトルサーチ情報と、４０４バイトのトラックサーチ情報と、４０８バイトのインデックスサーチ情報と、８０バイトのハイライトサーチ情報と、５２バイトの保留エリアにより構成されている。
【００３３】
８バイトの現在の番号情報は、タイトルセットの現在のタイトル番号（２バイト：ＢＣＤ）と、タイトルセットの現在のトラック番号（２バイト：ＢＣＤ）と、トラックの現在のインデックス番号（２バイト：ＢＣＤ）と保留領域（２バイト）により構成されている。１６バイトの現在時刻情報は、トラックのプレイバック時間（４バイト：ＢＣＤ）と、トラックの残りのプレイバック時間（４バイト：ＢＣＤ）と、タイトルの絶対時間（４バイト：ＢＣＤ）とタイトルの残りの絶対時間（４バイト：ＢＣＤ）により構成されている。
【００３４】
８バイトのタイトルセットサーチ情報は、タイトルセットの最初のセクタ番号（４バイト）と、タイトルセットの最後のセクタ番号（４バイト）により構成されている。８バイトのタイトルサーチ情報は、タイトルの最初のセクタ番号（４バイト）と、タイトルの最後のセクタ番号（４バイト）により構成されている。４０４バイトのトラックサーチ情報は、タイトルのトラック及びセクタ番号（４バイト×９９）と、タイトルの最初のトラック番号（４バイト）とタイトルの最後のトラック番号（４バイト）により構成されている。
【００３５】
４０８バイトのインデックスサーチ情報は、トラックのインデックス及びセクタ番号（４バイト×１００）と、トラックの最初のインデックス番号（４バイト）とトラックの最後のインデックス番号（４バイト）により構成されている。８０バイトのハイライトサーチ情報は、トラックのインセクタ番号（４バイト×１０）とトラックのアウトセクタ番号（４バイト×１０）により構成されている。
【００３６】
このようなフォーマットによれば、複数のＡパックの先頭に、ＣＤのＴＯＣ情報のように後続のＡパックのオーディオ信号を管理するためのＡ−ＣＯＮＴパックが配置されるので、オーディオデータはビデオデータなどとは一体化されず、記録容量を多くすることができる。また、Ａ−ＣＯＮＴパックによりオーディオ時間を管理することができ、また、Ａ−ＣＯＮＴパックによりオーディオデータに関する曲名などの簡単な文字情報を取り出すことができる。
【００３７】
また、Ａ−ＣＯＮＴパック内にタイトル、スタートアドレス、演奏時間などのＴＯＣ情報を配置するので、オーディオ再生中であってもユーザの操作に応じた情報をＡ−ＣＯＮＴパックから取り出して再生を開始することができる。また、オーディオマネージャインフォメーション（ＡＭＧＩ）とオーディオタイトルセットインフォメーション（ＡＴＳＩ）内にＴＯＣ情報を配置することにより、必要なＴＯＣ情報を再生器内のメモリに記憶させて、ユーザの操作に応じた情報をメモリから即座に読み出して再生を開始することができる。また、ＤＶＤ−ビデオにおけるプログラムチェーンインフォメーション（ＰＧＣＩ）のような大きな容量の情報を記憶する必要がないので、ディスクを効率的に管理することができる。
【００３８】
さらに、
１．コンテンツ内に画像（Ｖ）データがない場合、
（１）タイトル、楽章、インデックスの３階層に対するサーチ、ランダムアクセスが可能になる。
（２）ＧＯＦ（オーディオフレーム）単位の頭出し、タイムサーチ、ランダムアクセスが可能になる。
（３）タイトル、楽章、インデックスの時間を実時間で管理することができる。
【００３９】
また、
２．コンテンツ内に画像（Ｖ）データがある場合、
オーディオデータに関しては、上記（１）〜（３）の他に、
（４）タイトル、楽章中の現在時間、残り時間を実時間で表示、管理することができる。ビデオデータに関しては、
（１）タイトル、ＰＴＴ、セルの３階層に対するサーチ、ランダムアクセスが可能になる。
（２）ビデオフレーム単位の頭出し、タイムサーチ、ランダムアクセスが可能になる。
（３）タイトル、ＰＴＴ、セルの時間を実時間で管理することができる。
（４）ＰＴＴ又はタイトル中の現在時間、残り時間をビデオフレーム単位時間で表示、管理することができる。
【００４０】
なお、図１（ｂ）のＡＣＢＵではＡ−ＣＯＮＴとＣＯＮＴを含んでいるが図８に示すように、ＶパックとＣＯＮＴを含まないように構成してもよい。この場合は、ビデオ信号は記録されないが、オーディオ信号の記録容量が割り増しになる特徴があり、ディスクサイズを小型にでき、また再生機能が簡略にできるのでポータブル用の再生装置に適するものを提供できる。
【００４１】
［参考２の実施形態］
次に、図９〜２５及び既述の図面を参照して、参考２の実施形態に係るオーディオディスクを説明する。
【００４２】
図９は参考２の実施形態のＡＣＢＵ及びＶＣＢＵを示し、図１０は参考２の実施形態のＡＣＤ（オーディオキャラクタディスプレイ）情報の他の例を示し、図１１は参考２の実施形態のＡＳＤ（オーディオサーチデータ）を示し、図１２は図９のＣＯＮＴパックを詳しく示し、図１３は図１２のＰＣＩデータを詳しく示し、図１４は図１３のＰＣＩ一般情報を詳しく示し、図１５は図１３の記録情報を詳しく示し、図１６は図１２のＤＳＩを詳しく示し、図１７は図１６のＤＳＩ一般情報を詳しく示し、図１８は図１６のシームレス再生情報を詳しく示し、図１９は図１６のシームレス用アングル情報によるシームレス・アングル変更の概念を示し、図２０は図１６のＶＯＢＵサーチ情報の一例を示し、図２１は図１６のＶＯＢＵサーチ情報を詳しく示し、図２２は図１６の同期情報を詳しく示している。また、図２３は第１、第２の実施形態のリードインエリアの構成を示し、図２４は図２３のコントロールデータブロックを詳しく示し、図２５は図２４のフィジカル・フォーマット・インフォメーションを詳しく示している。
【００４３】
ところで、上記参考１の実施形態では、オーディオプレーヤがＡパックの再生を制御するために、図７に詳しく示すＡ−ＣＯＮＴパック内のＡＳＤ（オーディオサーチデータ）を用いており、このときシームレス再生するときには現在番号及び現在時刻に基づいており、また、ジャンプ再生するときにはタイトルセットサーチ、タイトルサーチ、トラックサーチ、インデックスサーチ、ハイライトサーチのサーチ情報に基づいている。
【００４４】
これに対し、この参考２の実施形態のオーディオディスクでは、ＤＶＤビデオディスクプレーヤを用いて再生可能なように、その基本フォーマットは図１（ａ）に示すＤＶＤビデオ規格に基づいて構成されている。そして、ＶＣＢユニット（ＶＣＢＵ）は図９に示すようにＡ−ＣＯＮＴパックは含まず、先頭のＣＯＮＴパックと、比較的多い数のＡパックと比較的少ない数のＶパックにより構成されている。また、このＡＣＢＵはＶパックの後の最初のＡパックを先頭としてＶＣＢＵと略同じ間隔の０．４〜１．０秒分の任意の数のパックにより構成されている。ここで、ＶＣＢＵはＤＶＤビデオ規格ではＶＯＢＵとも呼ばれている。
【００４５】
そして、ＡＣＢＵがＡ−ＣＯＮＴパックを含まないので、参考１の実施形態においてＡ−ＣＯＮＴパック内に含まれていたＡＣＤパケットとＡＳＤパケットは図１（ａ）に示すＶＭＧ（ビデオマネージャ）とＶＴＳ（ビデオタイトルセット）の一方又は両方に配置される。又は、図１（ａ）の破線で示すように、ＶＭＧとＶＴＳに対応して追加され、併設されたＡＭＧとＡＴＳの両方に配置される。これらＡＭＧ、ＡＴＳは、図１（ｂ）に示したＡＭＧ、ＡＴＳと同じ機能を持つので説明は省略する。
【００４６】
ここで、参考１の実施形態のＡＣＤパケットは、ＡＣＢユニット毎（０．５〜１．０秒毎）に１つ設けられるＡ−ＣＯＮＴパック内に設けられているので多数の画面分のデータを収容することができるが、参考２の実施形態ではＶＭＧ（ビデオマネージャ）やＶＴＳ（ビデオタイトルセット）に収容するので、収容データ量が制限され、したがって、曲毎や楽章毎のタイトル名などのみの比較的少ないデータ量で収容される。また、以下に詳しく示すオーディオ再生制御情報も１種類程度で収容してもよい。
【００４７】
また、このＡＣＤパケット内のＡＣＤエリアは参考１の実施形態（図５）のように第１の言語の文字「１」と第２の言語の文字「２」のデータを有するように構成してもよいが、代わりに図１０に示すように文字「２」に関するデータを省略して、４８バイトのジェネラル情報エリアと、例えば図６に示すような楽曲名などのいわゆる「オーディオ・ナビゲーション」を表示するための１つの言語の文字「１」に関する２９４バイトのエリアと２９４バイトのオーディオ再生制御情報エリアにより構成してもよい。文字「１」のエリアは、参考１の実施形態と同様に９３バイトのネームスペースエリアと、各々９３バイトの２つのフリースペースエリアと、１５バイトのデータポインタエリアにより構成されている。
【００４８】
オーディオ再生制御情報エリアの内容は任意であり、例えば各々２５バイトの１０種類分のオーディオ再生制御情報エリア（２５０バイト）と４４バイトの保留エリアにより構成される。これらのオーディオ再生制御情報は、Ａパックに配置されている楽曲をユーザが再生する場合に、例えばその楽曲のジャンル（クラシック、ジャズ、ロック、ＢＧＭ）に応じて、また、同一ジャンルであってもその楽曲の演奏状態、録音状態、雰囲気などに応じて再生時の音質が最も良くなるようにいわゆるプロのミキサが推奨するデータである。保留エリアにはオーディオ信号のチャネル数が６の場合、チャネル数を２にミクスダウンしてステレオ再生できるようなミキシング係数を収納させる。
【００４９】
また、Ａパックをシームレス再生するときにはＣＯＮＴパックを用いるので、ＡＳＤは図１１に示すように、参考１の実施形態（図７）における８バイトの現在の番号情報と１６バイトの現在時刻情報が省略され、その分が保留エリア（７６バイト）として用いられている。このため、参考１の実施形態のようにきめ細かい表示や再生制御はできないが、ＤＶＤビデオディスクプレーヤが再生できるので、参考１の実施形態のようにＤＶＤオーディオディスクプレーヤのみが再生でき、ＤＶＤビデオディスクプレーヤが再生できないディスクが普及するまでの過渡期において有効なオーディオディスクを実現することができる。
【００５０】
次に図１２を参照してＣＯＮＴパックの構成について詳しく説明する。このＣＯＮＴパックはＤＶＤビデオ規格ではナビゲーション・パック、通称ナビ（ＮＶ）パックと呼ばれており、１４バイトのパックヘッダと、２４バイトのシステムヘッダと、ＰＣＩ（プレゼンテーション・コントロール・インフォメーション）パケットとＤＳＩ（データ・サーチ・インフォメーション）パケットにより構成されている。ＰＣＩは再生制御情報と呼ばれており、このＰＣＩパケットは６バイトのパケットヘッダと、１バイトのサブストリームＩＤと図１３に詳しく示す９７９バイトのＰＣＩデータにより構成され（合計９８６バイト）、また、ＤＳＩパケットは６バイトのパケットヘッダと、１バイトのサブストリームＩＤと図１６に詳しく示すＤＳＩデータにより構成されている（合計１０２４バイト）。
【００５１】
ＰＣＩデータはＶＯＢＵの再生を制御するナビゲーション・データであり、図１３に詳しく示すように６０バイトのＰＣＩ一般情報（ＰＣＩ  ＧＩ）と、３６バイトの非シームレス用アングル情報（ＮＳＭＬ  ＡＧＬＩ）と、６９４バイトのハイライト情報（ＨＬＩ）と１８９バイトの記録情報（ＲＥＣＩ）の４つの情報により構成されている。
【００５２】
ＰＣＩ一般情報は図１４に詳しく示すように、
・４バイトの「ＮＶパック（＝ＣＯＮＴパック）のＬＢＮ」（ＮＶ  ＰＣＫ  ＬＢＮ）と、
・２バイトの「ＶＯＢＵのカテゴリ」（ＶＯＢＵ  ＣＡＴ）と、
・２バイトの保留エリアと、
・４バイトの「ＶＯＢＵのユーザ操作制御情報」（ＶＯＢＵ  ＵＯＰ  ＣＴＬ）と、
・４バイトの「ＶＯＢＵの開始ＰＴＭ」（ＶＯＢＵ  Ｓ  ＰＴＭ）と、
・４バイトの「ＶＯＢＵの終了ＰＴＭ」（ＶＯＢＵ  Ｅ  ＰＴＭ）と、
・４バイトの「ＶＯＢＵ内シーケンス・エンドの終了ＰＴＭ」（ＶＯＢＵ  ＳＥＳ  ＰＴＭ）と、
・４バイトの「セル内経過時間」（Ｃ  ＥＬＴＭ）と
・３２バイトの保留エリアにより構成されている。
【００５３】
「ＮＶパックのＬＢＮ」（ＮＶ  ＰＣＫ  ＬＢＮ）には、本ＰＣＩが含まれるＮＶパックのアドレスが本ＰＣＩが含まれるＶＯＢＳの先頭ＬＢからＲＬＢＮで記述されており、また、「ＶＯＢＵのカテゴリ」（ＶＯＢＵ  ＣＡＴ）には、本ＶＯＢＵのアナログ・プロテクション・システム（ＡＰＳ）の状態が記述されている。
【００５４】
図１３に示した非シームレス用アングル情報（ＮＳＭＬ  ＡＧＬＩ）は、アングル変更時の行き先アドレスに関する情報であり、また、アングル・セル変更が非シームレスに変更されるとき、すなわちシームレス・アングル変更フラグが「非シームレス」に設定されている場合のみ、有効である。図１３に示したハイライト情報（ＨＬＩ）はサブピクチャ表示領域内の一矩形領域をハイライトする情報であり、この情報に基づいて特定矩形領域内のビデオとサブピクチャの色の混合比（コントラスト）を変更することができる。また、各サブピクチャ・ストリームのサブピクチャ・ユニット（ＳＰＵ）の再生期間は、ハイライト情報（ＨＬＩ）の有効期間と同一である。
【００５５】
図１３に示した記録情報（ＲＥＣＩ）は図１５に詳しく示すように、
・１０バイトの「ビデオストリーム内のビデオデータのＩＳＲＣ」（ＩＳＲＣＶ）と、
・１０バイトの「デコーディング・オーディオ・ストリーム＃０内オーディオデータのＩＳＲＣ」（ＩＳＲＣ  Ａ０）と、
・１０バイトの「デコーディング・オーディオ・ストリーム＃１内オーディオデータのＩＳＲＣ」（ＩＳＲＣ  Ａ１）と、
・１０バイトの「デコーディング・オーディオ・ストリーム＃２内オーディオデータのＩＳＲＣ」（ＩＳＲＣ  Ａ２）と、
・１０バイトの「デコーディング・オーディオ・ストリーム＃３内オーディオデータのＩＳＲＣ」（ＩＳＲＣ  Ａ３）と、
・１０バイトの「デコーディング・オーディオ・ストリーム＃４内オーディオデータのＩＳＲＣ」（ＩＳＲＣ  Ａ４）と、
・１０バイトの「デコーディング・オーディオ・ストリーム＃５内オーディオデータのＩＳＲＣ」（ＩＳＲＣ  Ａ５）と、
・１０バイトの「デコーディング・オーディオ・ストリーム＃６内オーディオデータのＩＳＲＣ」（ＩＳＲＣ  Ａ６）と、
・１０バイトの「デコーディング・オーディオ・ストリーム＃７内オーディオデータのＩＳＲＣ」（ＩＳＲＣ  Ａ７）と、
・１０バイトの「デコーディング・ＳＰストリーム＃０、＃８、＃１６又は＃２４内ＳＰデータのＩＳＲＣ」（ＩＳＲＣ  ＳＰ０）と、
・１０バイトの「デコーディング・ＳＰストリーム＃１、＃９、＃１７又は＃２５内ＳＰデータのＩＳＲＣ」（ＩＳＲＣ  ＳＰ１）と、
・１０バイトの「デコーディング・ＳＰストリーム＃２、＃１０、＃１８又は＃２６内ＳＰデータのＩＳＲＣ」（ＩＳＲＣ  ＳＰ２）と、
・１０バイトの「デコーディング・ＳＰストリーム＃３、＃１１、＃１９又は＃２７内ＳＰデータのＩＳＲＣ」（ＩＳＲＣ  ＳＰ３）と、
・１０バイトの「デコーディング・ＳＰストリーム＃４、＃１２、＃２０又は＃２８内ＳＰデータのＩＳＲＣ」（ＩＳＲＣ  ＳＰ４）と、
・１０バイトの「デコーディング・ＳＰストリーム＃５、＃１３、＃２１又は＃２９内ＳＰデータのＩＳＲＣ」（ＩＳＲＣ  ＳＰ５）と、
・１０バイトの「デコーディング・ＳＰストリーム＃６、＃１４、＃２２又は＃３０内ＳＰデータのＩＳＲＣ」（ＩＳＲＣ  ＳＰ６）と、
・１０バイトの「デコーディング・ＳＰストリーム＃７、＃１５、＃２３又は＃３１内ＳＰデータのＩＳＲＣ」（ＩＳＲＣ  ＳＰ７）と、
・１バイトの「ＩＳＲＣ用に選択されたＳＰストリームのグループ」（ＩＳＲＣＳＰ  ＳＥＬ）と、
・１８バイトの保留エリアにより構成されている。
【００５６】
図１２に示したデータサーチ情報（ＤＳＩ）はデータをサーチして、ＶＯＢＵのシームレス再生を実行するためのナビゲーション・データであり、図１６に詳しく示すように
・３２バイトのＤＳＩ一般情報（ＤＳＩ  ＧＩ）と、
・１４８バイトのシームレス再生情報（ＳＭＬ  ＰＢＩ）と、
・５４バイトのシームレス用アングル情報（ＳＭＬ  ＡＧＬＩ）と、
・１６８バイトのＶＯＢＵサーチ情報（ＶＯＢＵ  ＳＲＩ）と、
・１４４バイトの同期情報（ＳＹＮＣＩ）と、
・４７１バイトの保留エリアにより構成されている。
【００５７】
ＤＳＩ一般情報（ＤＳＩ  ＧＩ）は図１７に詳しく示すように
・４バイトの「ＮＶ  ＰＣＫのＳＣＲベース（base）」（ＮＶ  ＰＣＫ  ＳＣＲ）と、
・４バイトの「ＮＶ  ＰＣＫのＬＢＮ」（ＮＶ  ＰＣＫ  ＬＢＮ）と、
・４バイトの「ＶＯＢＵの終了アドレス」（ＶＯＢＵ  ＥＡ）と、
・４バイトの「ＶＯＢＵの第１リファレンス・ピクチャの終了アドレス」（ＶＯＢＵ  １ＳＴＲＥＦ  ＥＡ）と、
・４バイトの「ＶＯＢＵの第２リファレンス・ピクチャの終了アドレス」（ＶＯＢＵ  ２ＮＤＲＥＦ  ＥＡ）と、
・４バイトの「ＶＯＢＵの第３リファレンス・ピクチャの終了アドレス」（ＶＯＢＵ  ３ＲＤＲＥＦ  ＥＡ）と、
・２バイトの「ＶＯＢＵのＶＯＢ  ＩＤ番号」（ＶＯＢＵ  ＶＯＢ  ＩＤＮ）と、
・１バイトの保留エリアと、
・１バイトの「ＶＯＢＵのセルＩＤ番号」（ＶＯＢＵ  Ｃ  ＩＤＮ）と、
・４バイトの「セル経過時間」（Ｃ  ＥＬＴＭ）により構成されている。
【００５８】
図１６に示したシームレス再生情報（ＳＭＬ  ＰＢＩ）は、図１８に詳しく示すように
・２バイトの「シームレスＶＯＢＵのカテゴリ」（ＶＯＢＵ  ＳＭＬ  ＣＡＴ）と、
・４バイトの「インタリーブド・ユニットの終了アドレス」（ＩＬＶＵ  ＥＡ）と、
・４バイトの「次のインタリーブド・ユニットの開始アドレス」（ＮＸＴ  ＩＬＶＵ  ＳＡ）と、
・２バイトの「次のインタリーブド・ユニットのサイズ」（ＮＸＴ  ＩＬＶＵＳＺ）と、
・４バイトの「ＶＯＢ内のビデオの開始ＰＴＭ」（ＶＯＢ  Ｖ  Ｓ  ＰＴＭ）と、
・４バイトの「ＶＯＢ内のビデオの終了ＰＴＭ」（ＶＯＢ  Ｖ  Ｅ  ＰＴＭ）と、
・８バイト×８の「ＶＯＢ内のオーディオの終了ＰＴＭ」（ＶＯＢ  Ａ  ＳＴＰＰＴＭ）と、
・８バイト×８の「ＶＯＢ内のオーディオのギャップ長」（ＶＯＢ  Ａ  ＧＡＰＬＥＮ）により構成されている。
【００５９】
図１６に示したシームレス用アングル情報は、図１９に示すようにアングル変更時の行き先アドレスに関する情報であり、アングル変更がシームレスで実行される場合、すなわちシームレス・アングル変更フラグが「シームレス」に設定されている場合にのみ、有効である。
【００６０】
図１６に示したＶＯＢＵサーチ情報（ＶＯＢＵ  ＳＲＩ）には、図２０に示すようにこのセルで、本ＤＳＩが含まれるＶＯＢＵの再生開始時刻の前後０．５×ｎ秒に再生されるＶＯＢＵの先頭アドレスが記述され、また、１つのセル内でのみ有効である。この情報は図２１に詳しく示すように、
・４バイトの「ビデオデータの持つ次のＶＯＢＵ先頭アドレス」（ＦＷＤＩ  ＶＩＤＥＯ）と、
・４バイトの「＋２４０ＶＯＢＵ先頭アドレスとビデオ存在フラグ」（ＦＷＤＩ２４０）と、
・４バイトの「＋１２０ＶＯＢＵ先頭アドレスとビデオ存在フラグ」（ＦＷＤＩ１２０）と、
・４バイトの「＋６０ＶＯＢＵ先頭アドレスとビデオ存在フラグ」（ＦＷＤＩ６０）と、
・４バイトの「＋２０ＶＯＢＵ先頭アドレスとビデオ存在フラグ」（ＦＷＤＩ２０）と、
・４バイトの「＋１５ＶＯＢＵ先頭アドレスとビデオ存在フラグ」（ＦＷＤＩ１５）と、
・４バイトの「＋１４ＶＯＢＵ先頭アドレスとビデオ存在フラグ」（ＦＷＤＩ１４）と、
・４バイトの「＋１３ＶＯＢＵ先頭アドレスとビデオ存在フラグ」（ＦＷＤＩ１３）と、
・４バイトの「＋１２ＶＯＢＵ先頭アドレスとビデオ存在フラグ」（ＦＷＤＩ１２）と、
・４バイトの「＋１１ＶＯＢＵ先頭アドレスとビデオ存在フラグ」（ＦＷＤＩ１１）と、
・４バイトの「＋１０ＶＯＢＵ先頭アドレスとビデオ存在フラグ」（ＦＷＤＩ１０）と、
・４バイトの「＋９ＶＯＢＵ先頭アドレスとビデオ存在フラグ」（ＦＷＤＩ  ９）と、
・４バイトの「＋８ＶＯＢＵ先頭アドレスとビデオ存在フラグ」（ＦＷＤＩ  ８）と、
・４バイトの「＋７ＶＯＢＵ先頭アドレスとビデオ存在フラグ」（ＦＷＤＩ  ７）と、
・４バイトの「＋６ＶＯＢＵ先頭アドレスとビデオ存在フラグ」（ＦＷＤＩ  ６）と、
・４バイトの「＋５ＶＯＢＵ先頭アドレスとビデオ存在フラグ」（ＦＷＤＩ  ５）と、
・４バイトの「＋４ＶＯＢＵ先頭アドレスとビデオ存在フラグ」（ＦＷＤＩ  ４）と、
・４バイトの「＋３ＶＯＢＵ先頭アドレスとビデオ存在フラグ」（ＦＷＤＩ  ３）と、
・４バイトの「＋２ＶＯＢＵ先頭アドレスとビデオ存在フラグ」（ＦＷＤＩ  ２）と、
・４バイトの「＋１ＶＯＢＵ先頭アドレスとビデオ存在フラグ」（ＦＷＤＩ  １）と、
・４バイトの「次のＶＯＢＵ先頭アドレスとビデオ存在フラグ」（ＦＷＤＩ  Ｎｅｘｔ）と、
・４バイトの「前のＶＯＢＵ先頭アドレスとビデオ存在フラグ」（ＢＷＤＩ  Ｐｒｅｖ）と、
・４バイトの「−１ＶＯＢＵ先頭アドレスとビデオ存在フラグ」（ＢＷＤＩ  １）と、
・４バイトの「−２ＶＯＢＵ先頭アドレスとビデオ存在フラグ」（ＢＷＤＩ  ２）と、
・４バイトの「−３ＶＯＢＵ先頭アドレスとビデオ存在フラグ」（ＢＷＤＩ  ３）と、
・４バイトの「−４ＶＯＢＵ先頭アドレスとビデオ存在フラグ」（ＢＷＤＩ  ４）と、
・４バイトの「−５ＶＯＢＵ先頭アドレスとビデオ存在フラグ」（ＢＷＤＩ  ５）と、
・４バイトの「−６ＶＯＢＵ先頭アドレスとビデオ存在フラグ」（ＢＷＤＩ  ６）と、
・４バイトの「−７ＶＯＢＵ先頭アドレスとビデオ存在フラグ」（ＢＷＤＩ  ７）と、
・４バイトの「−８ＶＯＢＵ先頭アドレスとビデオ存在フラグ」（ＢＷＤＩ  ８）と、
・４バイトの「−９ＶＯＢＵ先頭アドレスとビデオ存在フラグ」（ＢＷＤＩ  ９）と、
・４バイトの「−１０ＶＯＢＵ先頭アドレスとビデオ存在フラグ」（ＢＷＤＩ１０）と、
・４バイトの「−１１ＶＯＢＵ先頭アドレスとビデオ存在フラグ」（ＢＷＤＩ１１）と、
・４バイトの「−１２ＶＯＢＵ先頭アドレスとビデオ存在フラグ」（ＢＷＤＩ１２）と、
・４バイトの「−１３ＶＯＢＵ先頭アドレスとビデオ存在フラグ」（ＢＷＤＩ１３）と、
・４バイトの「−１４ＶＯＢＵ先頭アドレスとビデオ存在フラグ」（ＢＷＤＩ１４）と、
・４バイトの「−１５ＶＯＢＵ先頭アドレスとビデオ存在フラグ」（ＢＷＤＩ１５）と、
・４バイトの「−２０ＶＯＢＵ先頭アドレスとビデオ存在フラグ」（ＢＷＤＩ２０）と、
・４バイトの「−６０ＶＯＢＵ先頭アドレスとビデオ存在フラグ」（ＢＷＤＩ６０）と、
・４バイトの「−１２０ＶＯＢＵ先頭アドレスとビデオ存在フラグ」（ＢＷＤＩ１２０）と、
・４バイトの「−２４０ＶＯＢＵ先頭アドレスとビデオ存在フラグ」（ＢＷＤＩ２４０）と、
・４バイトの「ビデオデータを持つ前のＶＯＢＵの先頭アドレス」（ＢＷＤＩＶＩＤＥＯ）により構成されている。
【００６１】
図１６に示した同期情報（ＳＹＮＣＩ）は、本ＤＳＩが含まれるＶＯＢＵのビデオデータと同期して再生されるオーディオデータとサブピクチャデータのアドレス情報であり、図２２に詳しく示すように
・２バイト×８の「対象オーディオ・パック（Ａ  ＰＣＫ）のアドレス」（ＡＳＹＮＣＡ  ０  to  ７）と
・４バイト×３２の「対象サブピクチャ・パック（ＳＰ  ＰＣＫ）用ＶＯＢＵ先頭アドレス」（ＳＰ  ＳＹＮＣＡ  ０  to  ３１）により構成されている。
【００６２】
［第１及び第２の実施形態］
（オーディオディスクの識別子)
以上説明した参考１、参考２の実施形態のＤＶＤのフォーマットに基づいて、第１及び第２の実施形態に係るオーディオディスク（ＤＶＤ−オーディオ）に適用可能なディスク識別子について説明する。ＤＶＤの記録エリアは、図２３に示すように概略的にリードインエリアとデータエリアにより構成されている。また、ＤＶＤのリードインエリアは
・リードインスタートからセクタ番号「０２Ｆ０００ｈ」の前までのオール００ｈのブロックと、
・セクタ番号「０２Ｆ０００ｈ」からセクタ番号「０２Ｆ０２０ｈ」の前までの２ブロック分のリファレンスコードブロックと、
・セクタ番号「０２Ｆ０２０ｈ」からセクタ番号「０２Ｆ２００ｈ」の前までの３０ブロック分のオール００ｈのブロックと、
・セクタ番号「０２Ｆ２００ｈ」からセクタ番号「０２ＦＥ００ｈ」の前までの１９２ブロック分のコントロールデータブロックと、
・セクタ番号「０２ＦＥ００ｈ」からセクタ番号「０３００００ｈ」の前までの３２ブロック分のオール００ｈのブロックにより構成されている。
【００６３】
また、データエリアの先頭（セクタ番号「０３００００ｈ」）からはＩＳＯ９６６０とマイクロＵＤＦ（ユニバーサル・ディスク・フォーマット）のデータが記録され、次にオーディオタイトルセット（ＴＳ）、ビデオＴＳ、コンピュータＴＳなどが記録される。
【００６４】
上記のリードインエリアにおけるコントロールデータブロックは図２４に示すように、フィジカル・フォーマット・インフォメーションのセクタと、ディスク製造インフォメーションのセクタと、著作権インフォメーションのセクタにより構成されている。また、フィジカル・フォーマット・インフォメーションのセクタは図２５に示すように、ブックタイプ及びパートバージョンのエリアと、ディスクサイズ及びミニマムリードアウトレートのエリアと、ディスク構造のエリアと、記録密度のエリアと、データエリアアロケーションのエリアなどにより構成されている。
【００６５】
そして、ブックタイプ及びパートバージョンのエリアはディスク識別子として割り当てられ、その上位ビットにより、
・「ＤＶＤ−ＲＯＭディスク」か、
・「ＤＶＤ−ＲＡＭディスク」か又は
・「ＤＶＤ−Write Onceディスク」かが示され、更に「ＤＶＤ−ＲＯＭディスク
」の場合には、下位ビットにより
・「コンピュータプログラム・ディスク」か、
・「純粋ビデオ・ディスク」か、
・「ビデオ＋オーディオ・ナビゲーション・ディスク：Ｖａｎ−ディスク」か
・「オーディオ・ディスク」か、又は
・「オーディオ・ディスク・タイプ２」か
を示す識別子が記述される。
【００６６】
なお、上述した、「オーディオ・ディスク・タイプ２」の「タイプ２」は、識別したいオーディオディスクが本発明に係るオーディオディスクの概念を適用して製造されていることを示している。
【００６７】
したがって、このブックタイプ及びパートバージョンにより、参考１の実施形態に係るディスクには「ＤＶＤ−ＲＯＭ−オーディオディスク」を示すディスク識別子が記述され、また、参考２の実施形態に係るディスクには「ＤＶＤ−ＲＯＭ−Ｖａｎ−ディスク」を示すディスク識別子が記述される。また、「ＤＶＤ−ＲＯＭ−純粋ビデオ・ディスク」のリードインエリアには曲や楽章の頭出し情報などのＴＯＣ情報が設けられていないが、参考１の実施形態の「ＤＶＤ−ＲＯＭ−オーディオディスク」と参考２の実施形態の「ＤＶＤ−ＲＯＭ−Ｖａｎ−ディスク」のリードインエリアにはこのＴＯＣ情報が設けられる。
【００６８】
したがって、この参考２の実施形態によれば、ＶＯＢユニット内のＡパックの数がＶパックより多いので、Ｖパックをディスプレイにより再生する場合には静止画や動きが少ない動画となるが、ＶＯＢユニット内のＡパックをＤＶＤビデオ規格のＣＯＮＴパック（ＮＶパック）に基づいて再生することができるので、ＤＶＤビデオプレーヤが再生することができる。
【００６９】
ところで、オーディオデータをタイトル、トラック、インデックスの３階層に記録してサーチしたり、ランダムアクセス可能にしたりすると便利な反面、ＴＯＣ情報が煩雑になる問題が発生する。また、ＴＯＣ情報を利用して簡易な再生を行う場合にオーディオデータのサンプリング周波数などが特定できないと再生に移行することができないという問題が発生する。ＤＶＤビデオディスクに採用されているリードインエリアにＴＯＣ情報を記録する場合、このＴＯＣ情報についてもＤＶＤビデオとの互換性と、それ自身のアクセス性の利便性を考慮しないと普及の妨げになる問題が発生する。
【００７０】
そこで、ＴＯＣ情報をタイトル順にトラック単位で配列して構成することにより、効率的にデータ管理することができる。また、このＴＯＣ情報内にトラック毎にオーディオデータのサンプリング周波数や量子化ビット数を収納することにより、ＴＯＣ情報を利用して簡易な再生を行う場合に直ぐに再生に移行することができる。更に、ＴＯＣ情報をＤＶＤビデオディスクに採用されているリードインエリア内のコントロールデータブロックの著作権インフォメーションの空きエリア（リザーブエリア）にも記録する。
【００７１】
また、図２４に示したように、ＤＶＤのリードインエリア内のコントロールデータブロックのセクタ番号「２」〜「１５」は著作権インフォメーション用として確保されているので、一例としてこの中のリザーブ領域（セクタ番号「８」〜「１５」）内にＴＯＣ情報を配置する。
【００７２】
図２６はこのＴＯＣ情報の具体例を示している。このＴＯＣ情報はＳＡＰＰ（シンプルオーディオプレイポインタ）と呼ばれ、
・１６バイトのシンプルオーディオプレイポインタテーブルインフォメーション（ＳＡＰＰＴＩ）と、
各々が４８バイトのｎ個のシンプルオーディオプレイポインタ＃１〜＃ｎ（ＳＡＰＰ＃１〜＃ｎと
により構成されている。ＳＡＰＰＴＩは１２バイトのＳＡＰＰＴＩアイデンティファイヤと、２バイトのＳＡＰＰ数と２バイトのＳＡＰＰＴＩエンドアドレスにより構成されている。
【００７３】
ＳＡＰＰ＃１〜＃ｎは、それぞれ、４８バイトで構成されるとともに、各グループ＃１〜＃ｎに対応して設けられ、その内訳は図２７に示すように、
・１バイトのＳＡＰＰのタイトル番号と、
・１バイトのＳＡＰＰのトラック番号と、
・４バイトの、ＳＡＰＰで指されたトラックの最初のセルのスタートプレゼンテーション時間と、
・４バイトの、ＳＡＰＰで指されたトラックの再生時間と、
・４バイトの、ＳＡＰＰで指されたトラックのポーズ時間と、
・図２８に詳しく示すように４バイトの、ＳＡＰＰで指されたトラックの属性（ＳＡＰＰ−ＡＴＲ）と、
・１８バイトのリザーブ（保留）領域と、
・４バイトの、ＳＡＰＰで指されたトラックのスタートアドレスと、
・４バイトの、ＳＡＰＰで指されたトラックの最初のセルのスタートアドレスと、
・４バイトの、ＳＡＰＰで指されたトラックのエンドアドレスとにより構成されている。
【００７４】
また、上記の４バイト（３２ビットｂ３１〜ｂ０）のトラック属性（ＳＡＰＰ−ＡＴＲ）として、図２８に示すようにオーディオコーディングＡ−Ｃを１ビット（ｂ２８）、
ただし、０ｂ：リニアＰＣＭオーディオ
１ｂ：ロスレス圧縮オーディオ
で記録し、量子化ビット数Ｑを４ビット（ｂ２３〜ｂ２０）、
ただし、００００ｂ：１６ビット
０００１ｂ：２０ビット
００１０ｂ：２４ビット
その他：保留
で記録し、サンプリング周波数ｆｓを４ビット（ｂ１５〜ｂ１２）、
ただし、００００ｂ：４８ｋＨｚ
０００１ｂ：９６ｋＨｚ
００１０ｂ：１９２ｋＨｚ
１０００ｂ：４４．１ｋＨｚ
１００１ｂ：８８．２ｋＨｚ
１０１０ｂ：１７６．４ｋＨｚ
その他：保留
で記録し、デコーディングオーディオストリーム番号を３ビット（ｂ７〜ｂ５）で記録する。そして、このＳＡＰＰ情報を更に、トラック（楽章・楽曲）をｎ個に分割してトラックに属するアルバム番号と共に記録する。
【００７５】
（コピー制限）
前述した図３に示すパックがオーディオパック（Ａパック）である場合、そのユーザデータの領域に、ユーザがオーディオデータをコピーすることの制限に関する管理情報が格納されている。このコピー制限の管理情報は、ＤＶＤオーディオ（すなわち、ＰＣＭオーディオデータ又はロスレス圧縮オーディオデータ）及びＤＶＤオーディオタイプ２の、ＰＣＭオーディオデータ又はロスレス圧縮オーディオデータを除くオーディオデータ（すなわち、後述する圧縮オーディオデータ（ＣＡ−Ｄ内）又はロスあり圧縮されたオーディオデータ）に対して同じである。ただし、後述するように、圧縮オーディオデータはオーディオパック（Ａパック）でなく、エレメンタリーストリームで記録され且つ圧縮オーディオファイル情報（ＣＡＦＩ）内に設けられるコピーコントロール情報の”audio copy permission”と”audio copy number”によってユーザに許可するコピー回数が管理される。
【００７６】
図３に示すオーディオパックのユーザデータの領域には、その先頭部分からパケットヘッダ（９〜１７バイト）、プライベートヘッダ（１４〜２１バイト）、及びオーディオデータ（１〜２０１１バイト）が配置される。プライベートヘッダとオーディオデータとにより、パケットが構成される。コピー制限に関する管理情報は、かかるプライベートヘッダに配置されており、この管理情報により、ユーザに許可するコピー回数を規定している。
【００７７】
具体的には、この管理情報のうち、“audio_copy_permission”＝００ｂの場合、コピーは制限無く可能になり、audio_copy_permission”＝１０ｂの場合、コピーは“audio_copy_number”によって一つの記録デバイスあたりの回数で規定される。すなわち、“audio_copy_number”＝０００ｂの場合、オーディオパケットに在るオーディオデータは１回だけ許可され、audio_copy_number”＝００１ｂの場合、オーディオパケットに在るオーディオデータは２回だけ許可され、audio_copy_number”＝０１０ｂの場合、オーディオパケットに在るオーディオデータは４回だけ許可され、audio_copy_number”＝０１１ｂの場合、オーディオパケットに在るオーディオデータは６回だけ許可され、audio_copy_number”＝１００ｂの場合、オーディオパケットに在るオーディオデータは８回だけ許可され、さらに、audio_copy_number”＝１０１ｂの場合、オーディオパケットに在るオーディオデータは１０だけ許可される。１つの曲のプログラムＰＧ内の全てのオーディオパケットは全て同一のコピー許可回数に設定されている。これにより、ユーザに許可するコピー回数が管理されている。
【００７８】
（第１の実施形態に係るオーディオディスク）
次に、図２９、図３０を参照して、第１の実施形態に係るオーディオディスクを更に説明する。
【００７９】
図２９は第１実施形態のディスクＤＶＤ−ＲＯＭ−オーディオディスクタイプ２を示し、このフォーマットは概略的にＤＶＤ−ビデオデータとしてビデオタイトルセット−ディレクトリ（ＶＴＳ−Ｄ）と、ＤＶＤ−オーディオデータとしてオーディオタイトルセット−ディレクトリ（ＡＴＳ−Ｄ）と、圧縮オーディオデータとして圧縮オーディオ−ディレクトリ（ＣＡ−Ｄ）により構成されている。また、詳しくは、ＶＴＳは図１（ａ）に示すビデオマネージャ（ＶＭＧ）と、ビデオ及びオーディオのビデオマネージャメニュー（ＶＭＧＭ）と、ＶＭＧ内のＶＭＧＩにより管理されるＶＴＳ＜１＞により構成されている。
【００８０】
他方、ＡＴＳは図１（ｂ）に示すオーディオマネージャ（ＡＭＧ）と、ビデオ及びオーディオのオーディオマネージャメニュー（ＡＭＧＭ）と、ＶＴＳ側のＶＴＳ＜１＞内のオーディオデータと対を成し（すなわち、同一内容となり）、かつＡＭＧ内のＡＭＧＩにより管理されるＡＴＳ＜１＞と、ＶＴＳ側とは対をなさず、同じくＡＭＧ内のＡＭＧＩにより管理されるＡＴＳ＜２＞により構成されている。また、このＡＴＳ＜２＞は図３０に示すように、Ａ−ＣＯＮＴパックを含まず、Ａパックのみにより構成されている。なお、ビデオタイトルセット−ディレクトリ（ＶＴＳ−Ｄ）を省略して、オーディオタイトルセット−ディレクトリ（ＡＴＳ−Ｄ）と圧縮オーディオ−ディレクトリ（ＣＡ−Ｄ）のみにより構成してよい（これについては第２の実施形態として後述する）。また、オーディオタイトルセット−ディレクトリ（ＡＴＳ−Ｄ）は静止画データを含むＳＰＳ（スチル・ピクチャ・セット）を設けてもよく、これについては第２の実施形態で説明する。
【００８１】
この第１の実施形態のディスクにおけるリードインエリアは、図２５に示すブックタイプ及びパートバージョンにより「ＤＶＤ−ＲＯＭ−オーディオディスクタイプ２」を示すディスク識別子が記述されることを除き、参考２の実施形態と同一である。したがって、このディスクはＤＶＤビデオプレーヤにより再生はできず、専用のプレーヤにより再生できるフォーマットであるが、ＴＯＣ情報を記録するので、簡易再生を行うことができる。また、参考２の実施形態と同様に、ＴＯＣ情報をタイトル順にトラック単位で配列して構成することにより、効率的にデータ管理することができ、さらに、このＴＯＣ情報内にトラック毎にオーディオデータのサンプリング周波数や量子化ビット数を収納することにより、ＴＯＣ情報を利用して簡易な再生を行う場合に直ぐに再生に移行することができる。なお、この実施形態ではＴＯＣ情報は、図３１（ｂ）のＳＡＭＧのように、ファイルとして記録される。圧縮オーディオ（ＣＡ）はＣＡＭＧと、ＡＴＳ＜１＞とＡＴＳ＜２＞のオーディオデータと対応するオーディオデータから構成される。圧縮オーディオの詳細は後述する。なお、ＡＴＳ＜１＞のオーディオデータと対応するオーディオデータを省略するなど全てのＡＴＳのオーディオデータと対応する圧縮されたオーディオデータを配列することに限るものではない。上記ビデオタイトルセット−ディレクトリ（ＶＴＳ−Ｄ）と、オーディオタイトルセット−ディレクトリ（ＡＴＳ−Ｄ）は第１のオーディオゾーンを構成し、圧縮オーディオ−ディレクトリ（ＣＡ−Ｄ）は第２のオーディオゾーンを構成する。
【００８２】
（第２の実施形態に係るオーディオディスク）
図３２〜４８を参照して、本発明が適用される情報記録媒体の第２の実施形態に係るオーディオディスクを説明する。
【００８３】
図３２に示すＤＶＤ−オーディオディスクのフォーマットでは、ＡＴＳ−Ｄ（オーディオ・タイトルセット−ディレクトリ）の下に、ＳＡＭＧ（ストラクチャ・オブ・シンプル・オーディオ・マネージャ（Structure of Simple Audio Manager）と、ＡＭＧ（オーディオ・マネージャ）と、ＳＰＳ（スチル・ピクチャ・セット）と、ＡＭＧ内のＡＭＧＩにより管理される複数（ｍ個）のＡＴＳ＜１＞〜ＡＴＳ＜ｍ＞が設けられる。ＳＡＭＧはＡＴＳ＜１＞〜ＡＴＳ＜ｍ＞の頭出しのためのＳＡＰＰテーブル（ＴＯＣ）が繰り返し８回記述される領域である。この領域は１つの独立したファイルとして定義できる。
【００８４】
ＡＭＧはＡＭＧインフォメーション（ＡＭＧＩ）と、ＡＭＧメニュー（ＡＭＧＭ）とバックアップＡＭＧＩ（ＡＭＧＩ−ＢＵＰ）を含み、ＡＭＧＩ（及びＡＭＧＩ−ＢＵＰ）は図３３に詳しく示すＡＭＧＩマネージメント・テーブル（ＡＭＧＩ−ＭＡＴ）を含む。ＡＭＧＩ−ＭＡＴはボーナス情報にアクセスするためのインタラクティブデータ（パスワード）を含み、このパスワードは例えば４桁の数字又は符号等で表される。そして、例えばパスワード＝００００の場合にはボーナス情報が設けられていないことを示し、パスワード＝００００でない場合にはボーナス情報が設けられていることを示し、かつ実際のパスワードを示す。ＳＰＳ（スチル・ピクチャ・セット）は静止画データを含む。
【００８５】
ＡＴＳ＜１＞〜ＡＴＳ＜ｍ＞は、通常の楽曲（以下、非ボーナス楽曲）のオーディオデータ、ボーナス楽曲としてカラオケ音楽、ＢＧＭなどのオーディオデータの他、オーディオデータ以外の、例えばカラオケのスーパー字幕、ＭＩＤＩコード、クイズデータを含む。このＡＴＳの構成はディスク制作者の自由であり、上記の非ボーナス楽曲とボーナス楽曲は任意のＡＴＳ内に配置される。
【００８６】
ＡＭＧＩは図３３に詳しく示すように、
・オーディオ・マネージャ・インフォメーション・マネージメント・テーブル（ＡＭＧＩ−ＭＡＴ）と、
・オーディオ・タイトル・サーチ・ポインタ・テーブル（ＡＴＴ−ＳＲＰＴ）と、
・オーディオ・オンリ・タイトル・サーチ・ポインタ・テーブル（ＡＯＴＴ−ＳＲＰＴ）と、
・オーディオ・マネージャ・メニュー・ＰＧＣＩユニット・テーブル（ＡＭＧＭ−ＰＧＣＩ−ＵＴ）と、
・オーディオ・テクスト・データ・マネージャ（ＡＴＸＴＤＴ−ＭＧ）とを、有する。
【００８７】
ＡＯＴＴ−ＳＲＰＴは、
・オーディオ・オンリ・タイトル・サーチ・ポインタ・テーブル・インフォメーション（ＡＯＴＴ−ＳＲＰＴＩ）と、
・複数のオーディオ・オンリ・タイトル・サーチ・ポインタ（ＡＯＴＴ−ＳＲＰｓ）とを、有する。ＡＯＴＴ−ＳＲＰＴＩは図３４に詳しく
示すように４バイトで構成され、
・２バイトのオーディオ・オンリ・タイトル・サーチ・ポインタの数（ＡＯＴＴ−ＳＲＰ−Ｎｓ）と、
・２バイトのオーディオ・オンリ・タイトル・サーチ・ポインタ・テーブルのエンドアドレス（ＡＯＴＴ−ＳＲＰＴ−ＥＡ）とを、有する。
【００８８】
図３３に示した複数のＡＯＴＴ−ＳＲＰｓの各々は、図３５に詳しく示すように１２バイトで構成され、
・１バイトのオーディオ・タイトル・カテゴリ（ＡＴＴ−ＣＡＴ）と、
・１バイトの、ＡＯＴＴ内のプログラム数（ＡＯＴＴ−ＰＧ−Ｎｓ）と、
・４バイトの、ＡＯＴＴのトータルプレイバックタイム（ＡＯＴＴ−ＰＢ−ＴＭ）と、
・１バイトのＡＴＳの番号（ＡＴＳＮ）と、
・１バイトの、ＡＴＳのタイトル番号（ＡＴＳ−ＴＴＮ）と、
・４バイトの、ＡＴＳのスタートアドレス（ＡＴＳ−ＳＡ）とを、有する。
【００８９】
オーディオ・タイトル・カテゴリ（ＡＴＴ−ＣＡＴ）は図３６に詳しく示すように、
・１ビット（ｂ７）のＡＯＴＴ有無エリアと、
・３ビット（ｂ６〜ｂ４）の保留エリアと、
・４ビット（ｂ３〜ｂ０）の、このＡＯＴＴが属するＡＯＴＴグループ番号（ＡＯＴＴ−ＧＲＮ）とを、有する。
ただし、ＡＯＴＴ有無ビットｂ７＝０ｂ：ＡＯＴＴ無し＝１ｂ：ＡＯＴＴ有り
図３５に示した４バイトの、ＡＯＴＴのトータルプレイバックタイム（ＡＯＴＴ−ＰＢ−ＴＭ）は、このＡＯＴＴのトータルプレゼンテーションタイム（再生出力時間）を１ビット当たり１／９００００（秒）で表す。
【００９０】
図３２に示したＡＴＳ＜１＞〜ＡＴＳ＜ｍ＞の各々は、図３７に詳しく示すように、先頭から順に
・ＡＴＳＩ（ＡＴＳインフォメーション）と、
・図３８に詳しく示すオーディオ・オンリ・タイトル用オーディオ・オブジェクト・セット（ＡＯＴＴ−ＡＯＢＳ）と、
・バックアップ用ＡＴＳＩとにより構成されている。ＡＴＳＩは先頭から順に
・ＡＴＳＩ−ＭＡＴ（ＡＴＳＩマネージメント・テーブル）と、
・図３９〜図４５に詳しく示すＡＴＳ−ＰＧＣＩＴ（ＡＴＳプログラム・チェーン・インフォメーション・テーブル）とにより構成されている。
【００９１】
ＡＯＴＴ−ＡＯＢＳは図７に詳しく示すように、複数のオーディオ・オンリ・タイトル用のオーディオ・オブジェクト（ＡＯＴＴ−ＡＯＢ）により構成されている。ＡＯＴＴ−ＡＯＢの各々は複数のプログラム（ＰＧ）により構成され、プログラムの各々は複数のセル（ＡＴＳ−Ｃ）により構成されている。ＡＯＴＴ−ＡＯＢは、図３８（１）に詳しく示すようにオーディオデータのみを含むものと、図３８（２）に詳しく示すようにオーディオデータ及びリアル・タイム・インフォメーション・データ（ＲＴＩデータ）を含むものの２種類のＡＯＴＴ−ＡＯＢにより構成されている。そして、１枚のディスク中や１曲中に１種類以上のＡＯＴＴ−ＡＯＢが配置される。
【００９２】
オーディオデータのみを含む第１のＡＯＴＴ−ＡＯＢの各プログラムは複数のオーディオセル（ＡＴＳ−Ｃ）により構成され、このオーディオセルは複数のオーディオパックのみにより構成されている。オーディオデータ及びＲＴＩデータを含む第２のＡＯＴＴ−ＡＯＢの各プログラムは複数のオーディオセル（ＡＴＳ−Ｃ）により構成され、このオーディオセルは２番目のパック位置に配置されたＲＴＩパックと、他のパック位置に配置されたオーディオパックにより構成されている。
【００９３】
図３７に示したＡＴＳ−ＰＧＣＩＴ（ＡＴＳプログラム・チェーン・インフォメーション・テーブル）は、図３９に詳しく示すように先頭から順に
・オーディオ・タイトルセットＰＧＣＩテーブル・インフォメーション（ＡＴＳ−ＰＧＣＩＴＩ）と、
・ｎ個のオーディオ・タイトルセットＰＧＣＩサーチポインタ（ＡＴＳ−ＰＧＣＩ−ＳＲＰ＃１〜＃ｎ）と、
・図４０に詳しく示す複数のＡＴＳ−ＰＧＣＩとにより構成されている。
【００９４】
ＡＴＳ−ＰＧＣＩの各々は、図４０に示すように先頭から順に、
・図４１に詳しく示すＡＴＳ−ＰＧＣジェネラル・インフォメーション（ＡＴＳ−ＰＧＣ−ＧＩ）と、
・図４２〜図４５に詳しく示すＡＴＳプログラム・インフォメーション・テーブル（ＡＴＳ−ＰＧＩＴ）と、
・ＡＴＳセル・プレイバック・インフォメーション・テーブル（ＡＴＳ−Ｃ−ＰＢＩＴ）とにより構成されている。
【００９５】
ＡＴＳ−ＰＧＣ−ＧＩは図４１に示すように１６バイト（ＲＢＰ０〜１５）で構成され、先頭から順に
・４バイト（ＲＢＰ０〜３）のＡＴＳ−ＰＧＣコンテンツ（ＡＴＳ−ＰＧＣ−ＣＮＴ）と、
・４バイト（ＲＢＰ４〜７）のＡＴＳ−ＰＧＣプレイバック・タイム（ＡＴＳ−ＰＧＣ−ＰＢ−ＴＭ）と、
・２バイト（ＲＢＰ８、９）の保留領域と、
・２バイト（ＲＢＰ１０、１１）のＡＴＳ−ＰＧＩＴスタートアドレスと、
・２バイト（ＲＢＰ１２、１３）のＡＴＳ−Ｃ−ＰＢＩＴスタートアドレスと、
・２バイト（ＲＢＰ１４、１５）の保留領域とにより構成されている。
【００９６】
図４０に示したＡＴＳプログラム・インフォメーション・テーブル（ＡＴＳ−ＰＧＩＴ）は、図４２に詳しく示すようにｎ個のＡＴＳプログラム・インフォメーション（ＡＴＳ−ＰＧＩ）＃１〜＃ｎにより構成されている。ＡＴＳ−ＰＧＩ＃１〜＃ｎの各々は、図４３に詳しく示すように２０バイト（ＲＢＰ０〜１９）で構成され、先頭から順に
・４バイト（ＲＢＰ０〜３）のＡＴＳ−ＰＧコンテンツ（ＡＴＳ−ＰＧ−ＣＮＴ）と、
・１バイト（ＲＢＰ４）のＡＴＳ−ＰＧのエントリセル番号と、
・１バイト（ＲＢＰ５）の保留領域と、
・４バイト（ＲＢＰ６〜９）の、ＡＴＳ−ＰＧの最初のオーディオセルのスタート・プレゼンテーション・タイム（ＦＡＣ−Ｓ−ＰＴＭ）と、
・４バイト（ＲＢＰ１０〜１３）のＡＴＳ−ＰＧプレイバック・タイムと、
・４バイト（ＲＢＰ１４〜１７）のＡＴＳ−ＰＧポーズ・タイムと、
・１バイト（ＲＢＰ１８）の保留領域（著作権管理データＣＭＩ用）と、
・１バイト（ＲＢＰ１９）の保留領域とにより構成されている。
【００９７】
図４０に示したＡＴＳセル・プレイバック・インフォメーション・テーブル（ＡＴＳ−Ｃ−ＰＢＩＴ）は、図４４に詳しく示すようにｎ個のＡＴＳセル・プレイバック・インフォメーション（ＡＴＳ−Ｃ−ＰＢＩ）＃１〜＃ｎにより構成されている。ＡＴＳ−Ｃ−ＰＢＩ＃１〜＃ｎの各々は、図４５に詳しく示すように１２バイト（ＲＢＰ０〜１１）により構成され、先頭から順に
・１バイト（ＲＢＰ０）のＡＴＳ−Ｃのインデックス番号と、
・１バイト（ＲＢＰ１）のＡＴＳ−Ｃタイプ（ＡＴＳ−Ｃ−ＴＹ）と、
・２バイト（ＲＢＰ２、３）の保留領域と、
・４バイト（ＲＢＰ４〜７）のＡＴＳ−Ｃのスタートアドレスと、
・４バイト（ＲＢＰ８〜１１）のＡＴＳ−Ｃのエンドアドレスとにより構成されている。
【００９８】
図４６はプレーヤ（再生装置）が上記のＡＭＧＩとＡＴＳＩ内の再生制御情報に基づいてオーディオデータを再生する場合のデータ構造を示している。まず、１つのアルバムはディスクの１面全体のオーディオデータを示し、片面ディスクの場合にはその１面全体であり、両面ディスクの場合には一方の面全体である。すなわち片面ディスクのオーディオデータは１つのアルバムにより構成され、両面ディスクのオーディオデータは２つのアルバムにより構成される。１つのアルバムは１〜９個のグループ＃１〜＃ｎ（以下、タイトルグループ）により構成され、ボーナス楽曲を含む場合には２〜９個のタイトルグループにより構成される。そして、ボーナス楽曲は全て最後のタイトルグループ＃ｎ内に配置される。この１つのタイトルグループは、プレーヤが連続して再生する際の単位である。
【００９９】
１つのタイトルグループはプレーヤが複数のオーディオタイトル（ＡＴＴ）を連続して再生する際の単位であり、任意の数（図のｉ、ｊ）のＡＴＴにより構成される。１つのタイトルグループ内のＡＴＴの数ｉ、ｊはディスク制作者が自由に選択することができる。このＡＴＴ＃１〜ＡＴＴ＃ｉ、ＡＴＴ＃ｊは、図３２に示すＡＴＳ＜１＞〜ＡＴＳ＜ｍ＞内のいずれかのＡＴＴであり、プレーヤにより上記のＡＭＧＩとＡＴＳＩ内の再生制御情報に基づいてサーチされて再生される。ここで、ＡＴＴはオーディオデータを含み、ビデオデータを含まないオーディオ・オンリ・タイトル（ＡＯＴＴ）のみにより構成されているものと、このＡＯＴＴ及びビデオデータを含むオーディオ・ビデオタイトル（ＡＶＴＴ）により構成されているものの２種類がある。なお、図３２に示すＤＶＤ−オーディオディスクのＡＴＳはＡＯＴＴのみを含む。また、図２９に示すＤＶＤ−オーディオディスクのＶＴＳは、ＡＶＴＴとＡＯＴＴの一方又は両方を含む。
【０１００】
圧縮オーディオ（ＣＡ）のオーディオデータは、図４７に示すように、各グループ（ここではグループ１のみを表示する）のトラックに対応するコーデック毎のストリームデータで構成される。トラック１には、コーデック１のファイルであるＣＡｇ１−ｔ０１．ＣＡ１と、コーデック２のファイルであるＣＡｇ１−ｔ０１．ＣＡ２が記録される。つまり、ファイルＣＡｇ１−ｔ０１．ＣＡ１とファイルＣＡｇ１−ｔ０１．ＣＡとを合わせてトラック１が形成される。
【０１０１】
以下、同様にトラック２には、コーデック１のファイルであるＣＡｇ１−ｔ０２．ＣＡ１と、コーデック２のファイルであるＣＡｇ１−ｔ０２．ＣＡ２が記録される。トラック３には、コーデック１のファイルであるＣＡｇ１−ｔ０３．ＣＡ１と、コーデック２のファイルであるＣＡｇ１−ｔ０３．ＣＡ２が記録される。トラック４は、コーデック１のファイルであるＣＡｇ１−ｔ０４．ＣＡ１と、コーデック２のファイルであるＣＡｇ１−ｔ０４．ＣＡ２が記録される。トラック５には、コーデック１のファイルであるＣＡｇ１−ｔ０５．ＣＡ１と、コーデック２のファイルであるＣＡｇ１−ｔ０５．ＣＡ２が記録される。ここで、コーデックの種類は、
ドルビーＡＣ３
ＭＰＥＧ-１またはＭＰＥＧ-２（拡張なし）
ＭＰＥＧ-２（拡張あり）
ＤＴＳ
ＭＰ３
ｍｐ３ＰＲＯ
ＡＴＲＡＣ３
から選択できる。この例ではコーデックが２つであるが、各トラックに対し記録できるコーデックの数は１〜Ｎ（ただし、Ｎは最大７の整数である。）である。
【０１０２】
ＣＡＭＧ（Ｃｏｍｐｒｅｓｓｅｄ  Ａｕｄｉｏ  Ｍａｎａｇｅｒ：ＣＡ＿ＭＡＮＧＲ．ＩＦＯ）の具体的データ構造を図４８（Ａ）に示す。この図４８（Ａ）の圧縮オーディオ（ＣＡ）のＣＡＭＧの構造は、ＣＡＭＧ管理テーブル（ＣＡＭＧ-ＭＡＴ）と、グループリンク情報（ＧＲＬＩ）と、グループ情報（ＧＲＩ）と、圧縮オーディオファイル情報（ＣＡＦＩ）と、テキスト情報（ＣＡＴＸＴＩ）とからなる。
【０１０３】
ＣＡＭＧ管理テーブル（ＣＡＭＧ-ＭＡＴ）は、ＣＡＭＧ-ＭＡＴ識別子と、ディスク名用の情報と、コピー防止方式の情報（ＣＰＳＩ）と、パスワード（ＨＧＲ＿ＩＮＦ）と、テキスト情報の文字セットコード情報と、保留領域からなる。パスワード（ＨＧＲ＿ＩＮＦ）は図３２に用いられるパスワードと同一のものが配置される。テキスト情報の文字セットコード情報としては、最大２つの文字セットコードを複数のコードの中から選択することができる。コード例を以下に示す。
１．  ＩＳＯ／ＩＥＣ６４６：１９８３
２．  ＩＳＯ８８５９-１：１９８７
３．  ＫＳＣ５６０１-１９８７
４．  ＫＳＣ５７００-１９９５
５．  ＭＳ-ＪＩＳ
６．  Ｂｉｇ５
７．  ＧＢ２３１２
グループリンク情報（ＧＲＬＩ）は、圧縮オーディオファイルのグループ（グループ＃１〜＃ｎ）情報からなる。なお、圧縮オーディオファイルのグループ（グループ＃１〜＃ｎ）は図４６のタイトルグループと同一にすることができる。グループ情報（ＧＲＩ）は、
各グループのトラック数と、
各トラックの再生時間と、
保留領域と、からなる。圧縮オーディオファイル情報（ＣＡＦＩ）は、
ファイル名と、
オーディオアトリビュートと、
コピーコントロール情報と、
ＵＰＣ／ＥＡＮ（Ｕｎｉｖｅｒｓａｌ  Ｐｒｏｄｕｃｔ  Ｃｏｄｅ/Ｅｕｒｏｐｅｒａｎ  Ａｒｔｉｃｌｅ  Ｎｕｍｂｅｒ）及びＩＳＲＣ（Ｉｎｔｅｒｎａｔｉｏｎａｌ  Ｓｔａｎｄａｒｄ  Ｒｅｃｏｒｄｉｎｇ  Ｃｏｄｅ）と、からなる。
【０１０４】
なお、ファイル名は図４７に示すように「．ＣＡ１」「．ＣＡ２」などの拡張子を付与され、この拡張子によって同一楽曲でコーデックが異なることを識別するように構成される。オーディオアトリビュートは、
サンプリング周波数（４ビット）と、
ただし、００００ｂ：４８ｋＨｚ
０００１ｂ：９６ｋＨｚ
００１０ｂ：１９２ｋＨｚ
１０００ｂ：４４．１ｋＨｚ
１００１ｂ：８８．２ｋＨｚ
１０１０ｂ：１７６．４ｋＨｚ
その他：保留
チャネル情報（４ビット）と、
ただし、００００ｂ：１ｃｈ（モノラル）
０００１ｂ：２ｃｈ（ステレオ）
００１０ｂ：３ｃｈ
００１１ｂ：４ｃｈ
０１００ｂ：５ｃｈ
０１０１ｂ：６ｃｈ
その他：保留
保留領域と、からなる。ＵＰＣ／ＥＡＮ及びＩＳＲＣはそれぞれ上記ファイルに対応する
ＵＰＣ／ＥＡＮコード（５６ビット）と、
ＩＳＲＣコード（７２ビット）と、
ＵＰＣ／ＥＡＮ及びＩＳＲＣに対する有効性を示す情報（４ビット）と、からなる。
【０１０５】
テキスト情報（ＣＡＴＸＴＩ）は、ディスク名、グループ名、及びトラック名の少なくともいずれかに関するテキストで構成され、それぞれ
タイトル（曲名）（６４バイト）と、
アーティスト名（６４バイト）と、
保留領域（１２８バイト）と、からなる。
【０１０６】
このように配置したため再生時に圧縮オーディオマネージャ（ＣＡＭＧ）を参照してＡＴＳと同一の楽曲（トラック）について対応する圧縮オーディオデータを選択することができる。
【０１０７】
また、図４８（Ｂ）のように各トラックに対して静止画情報（ＳＰＩＮＦ）を配置するようにできる。これによりオーディオデータと静止画を同時に取り出すことができる。
（エンコーダの構成及び動作）
次に、図４９を参照して、第１及び第２の実施形態に係るエンコーダの構成を詳細に説明する。
【０１０８】
このエンコーダは、図４９に示すように、ビデオ信号Ｖを受信するＡ／Ｄ変換器３６及びオーディオ信号Ａを受信するＡ／Ｄ変換器３１を備える。さらに、このエンコーダは、一方のＡ／Ｄ変換器３６の出力端に接続されたビデオ用エンコード回路（Ｖエンコーダ）３７と、一方のＡ／Ｄ変換器３１の出力端に接続された信号処理回路３２と、この信号処理回路３３のデータ記憶手段として機能するメモリ３３とを備える。エンコード回路３７及び信号処理回路３２の出力端はＤＶＤフォーマット変換部３４に接続され、この変換部３４の出力端が、フォーマットされたオーディオデータにＥＦＭ(Eight to Fourteen Modulation)変調又はＥＦＭプラス変調を行なう変調回路３５、記録部３８、及び通信インターフェース（Ｉ／Ｆ）３９に並列に接続されており、これらの構成要素３４、３５、３８、及び３９もエンコーダの一部をなす。
モノラルのチャネル、または複数チャネルのアナログオーディオ信号ＡはＡ／Ｄコンバータ３１により十分高いサンプリング周波数（サンプリング周期Δｔ）、例えば１９２ｋＨｚでサンプリングされる。これにより、例えば２４ビットの高分解能のＰＣＭ信号（リニアＰＣＭ信号）に変換され、高分解能のデータ列（ｘi）が生成される。
【０１０９】
このデータ列（ｘi）は、信号処理回路３２及びメモリ３３により、図３に示すユーザデータにエンコードされる。信号処理回路３２では、線形予測符号によりフレーム毎にこのデータ列（ｘｉ）から先頭サンプルを得て、次にこのデータ列との予測残差データ列（Δｘｐi）を生成する。これにより、ロスレス圧縮信号が生成される。
【０１１０】
ここで、予測残差データΔｘｐiは例えば２４ビット又はそれ以下であり、また、ビット数は固定でも可変でもよい。次いで、先頭サンプル及び予測残差データΔｘｐiは、予測方法と共にユーザデータ（図３参照）にパッキングされ（１パケット＝２０３４バイト）、そのユーザデータがＤＶＤフォーマット化部３４に出力される。他方、このようなロスレス圧縮を行わないで、リニアＰＣＭ信号はそのままユーザデータにパッキングされ（１パケット＝２０３４バイト）、そのユーザデータがＤＶＤフォーマット化部３４に出力される。
【０１１１】
また、ビデオ信号ＶはＡ／Ｄコンバータ３６によりデジタル信号に変換され、次いでこのデジタルビデオ信号はエンコード回路３７によりＭＰＥＧフォーマットにエンコードされ、次いで、図３に示すユーザデータにパッキングされてＤＶＤフォーマット化部３４に供給される。ＤＶＤフォーマット化部３４は、参考１の実施形態の「ＤＶＤ−ＲＯＭ−オーディオディスク」、参考２の実施形態の「ＤＶＤ−ＲＯＭ−Ｖａｎ−ディスク」又は第１の実施形態の「ＤＶＤ−ＲＯＭ−オーディオディスクタイプ２」のフォーマットにパッキングする。一方、楽曲は圧縮オーディオのオーディオコーディングモードに従って圧縮が行われ、図５０に示すようにオーディオフレーム単位で連続したストリーム形式（エレメンタリーストリーム）にフォーマットされる。この結果、圧縮されたオーディオファイル（圧縮オーディオファイルＣＡＦ）が得られる。オーディオフレームはサンプリング周波数に対してそれぞれ規定される。
４８ｋＨｚ：１/１２００秒
９６ｋＨｚ：１/１２００秒
１９２ｋＨｚ：１/１２００秒
４４．１ｋＨｚ：１/１１０２．５秒
８８．２ｋＨｚ：１/１１０２．５秒
１７６．４ｋＨｚ：１/１１０２．５秒
また、ＣＡＭＧ管理テーブル（ＣＡＭＧ−ＭＡＴ）、グループリンク情報（ＧＲＬＩ）、グループ情報（ＧＲＩ）などの管理テーブルが生成される。必要な場合、オーディオデータに関するテキスト情報（ディスク名、グループ名、及びトラック名）が生成される。
【０１１２】
そして、このパッキングデータ、ストリームデータ、及び管理テーブルはディスクに応じた変調方式で変調回路３５により変調され、この変調データに基づいてディスクが製造される。
【０１１３】
（再生装置の構成及び動作）
次に、第１及び第２の実施形態に適用可能な再生装置の一例を図５１に示す。
この再生装置は、本発明に係るＤＶＤ−オーディオとしてのオーディオディスクＤＫに記録されているオーディオデータを再生する装置である。オーディオディスクＤＫはディスクドライブ６６に装填される。この再生装置は、ディスクドライブ６６のほか、ドライブ制御部６７、表示部６１、操作部６２、制御部６３、復調回路４１、ＤＶＤ復号回路４２、信号処理回路４３、メモリ４４、ＬＰＦ５６、及びＤ／Ａ変換器４５を備える。
【０１１４】
ドライブ制御部６７は、制御部６３から与えられる制御信号に応じて動作してディスクドライブ６６の駆動を制御するので、これにより、ディスクＤＫ上の任意の位置のオーディオ信号が図示しないピックアップを介して読み出される。復調回路４１は、ディスクドライブ４２から読み出されたオーディオ信号をＥＦＭ（Eight to Fourteen Modulation）復調し、この結果得られた復調信号をＤＶＤ復号回路４２に送る。このＤＶＤ復号回路４２は、後述するように、復調された信号を、指定されたデコード法に拠りデコード（デフォーマット）して信号処理回路４３に送る。信号処理回路４３は、後述するように、デコードされた信号を処理する。復号回路４２及び信号処理回路４３が協働して動作することにより、オーディオストリーム信号が生成される。このオーディオストリーム信号は、帯域制限用のＬＰＦ５６を介して端子５３から出力されるとともに、Ｄ／Ａ変換器４５を介して端子５５からオーディオアナログ信号として出力される。また、信号処理回路４３は、ストリーム信号の文字データを、端子６４を介して出力するとともに、ストリーム信号をデジタル信号として端子６５から出力するようになっている。この端子６５は、外部機器にＩＥＥＥ１３９４バスを介して接続される。
【０１１５】
ユーザは、操作部６２を操作して再生のために必要な指示を行う。この操作には、パスワードを入力する操作も含まれる。
制御部６３は、予め記憶しているプログラムに基づいて動作するＣＰＵを備えており、後述する処理を行う。この処理には、ＤＶＤ復号回路４２を介して読み出される信号（圧縮オーディオ−ディレクトリ（ＣＡ−Ｄ）を有するオーディオディスクであるか否かを示す信号、又は、ディスク識別子）を用いて行われる、オーディオディスクＤＫが「ＤＶＤオーディオ（従来のオーディオディスク）」であるか「ＤＶＤオーディオタイプ２」（本発明に係るオーディオディスク：「タイプ２」はかかるディスクを表す）であるかの判定も含まれる。なお、このディスクの種類判定は、制御部６３に判定専用に置いたディスク判定回路により実行するようにしてもよい。表示部６１は、制御部６３の制御の元に、ユーザに提供する必要な表示を行う。この表示には、オーディオデータのメニュー表示も含まれる。このため、制御部６３の一部の機能、操作部６２、及び表示部６３により、ユーザと再生装置の間のインターフェースが構成される。
【０１１６】
なお、上述した再生装置に代えて、図６９に示す再生装置を用いることもできる。この再生装置は、図５１に示す再生装置に、ハードディスク（ＨＤ）やＳＤ（Secure Digital）メモリーカードなどの記録デバイス７１にオーディオデータを読み書きするドライブ７２と、このドライバ７２との間でオーディオデータを読出し書込みする信号処理回路７３とを付加したものである。記録デバイス７１は、ドライブ７２に着脱自在に装填される。信号処理回路７３は、前述した信号処理回路４３との間でデジタルオーディオデータを送受することができる。ドライバ７２は、制御部６３からの制御信号の元で動作するようになっている。このブロック７２，７３の追加により、内部機器としての、ドライバ７２に装填された記録デバイス７１にオーディオデータを記録したり、そのデータを再生したりすることが可能になる。
【０１１７】
(ＤＶＤ復号回路及び信号処理回路)
次に、図５１の再生装置に搭載したＤＶＤ復号回路４２及び信号処理回路４３の動作を、図５２を用いて説明する。
まず、ディスクＤＫにアクセスして記録データを読み出し（ステップＳ２０）、次いで各分離ステップＳ２１〜Ｓ２９においてビデオ信号と、静止画信号と、オーディオ信号と、著作権情報及びリアルタイム情報（ＲＴＩ）と、文字情報及びディスク識別子（ＥＸ）が分離される。次いで各デコードステップＳ２２〜Ｓ３０においてそれぞれ各分離データがデコードされ、次いで同期再生される（ステップＳ３１、Ｓ３２）。
【０１１８】
ここで、静止画ＳＰを再生する処理には次の３通りがある。
１）静止画ＳＰが得られると、オーディオ信号Ａの再生を中断してミュートする。
２）静止画ＳＰが得られると、時間制御信号に基づいてオーディオ信号Ａと共に再生する。
３）静止画ＳＰが得られると、ユーザに指示されたページめくりコマンドに基づいてページめくり再生する。このときオーディオ信号Ａはそのまま再生する。
【０１１９】
静止画を音声に同期させる必要がある場合は、リアルタイムの同期のための時間制御信号は、ＡＴＳＩに追加して設けるスチルピクチャ・コントロール・インフォメーション・テーブルＳＰＣＩＴの下のタイム・コントロール・データ・インフォメーション（ＳＰＣＩＴ−ＴＣＤＩ）に置くようにする。
【０１２０】
また、さらにページめくりコマンドを収めたスチルピクチャ・ページ制御コマンド・インフォメーション（ＳＰＰＩ）をＳＰＣＩＴの下に置くようにする。このようにＳＰＣＩＴは、一般情報のＳＰＣＩＴジェネラル・インフォメーション（ＳＰＣＩＴ−ＧＩ）と、タイム・コントロール・データ・インフォメーション（ＳＰＣＩＴ−ＴＣＤＩ）と、スチルピクチャ・ページ制御コマンド・インフォメーション（ＳＰＰＩ）とから構成される。
【０１２１】
また、ここで、静止画ＳＰのリアルタイム情報ＲＴＩのＳＰＣＴパックのスチル・ピクチャ・データの中に、スチルピクチャのページ制御をするためのサイド情報を含むようにすることができる。このサイド情報により規定されたページ制御データが、ＳＰＰＩを参照しながら解釈されて、ページ制御される。
【０１２２】
なお、スチル・ピクチャ・データに上述したサイド情報を収めるだけの容量的な余裕がない場合は、ＲＴＩパックのＲＴＩデータの中に、上記したスチルピクチャのページ制御をするためのサイド情報を含むようにすることも許容できる。
【０１２３】
（制御部）
上述した制御部６３の処理を図５３、５４、５５、及び５６を参照して説明する。
最初に、圧縮オーディオ−ディレクトリ（ＣＡ−Ｄ）を有していないオーディオディスクに対して実行される動作を、図５３及び５４を用いて説明する。
【０１２４】
制御部６３は、最初に、ドライブ６６に装填されているオーディオディスクＤＫから、そのオーディオディスクＤＫに圧縮オーディオ−ディレクトリ（ＣＡ−Ｄ）が在るか否かを示す信号を、ＤＶＤ復号回路４２を介して読み込む（図５３、ステップＳ１Ａ）。  制御部６３は次いで、読み込んだ信号を用いてオーディオディスクＤＫが圧縮オーディオ−ディレクトリを有しているディスクであるか否かを判定する（ステップＳ１Ｂ）。
【０１２５】
このオーディオディスクの種類を判定する処理については、ディスク識別子を用いて判定するようにしてもよい。つまり、制御部６３は、ＤＶＤ復号回路４２を介して、オーディオディスクＤＫからディスク識別子（図２５、ブックタイプ及びパートバージョンを参照）を示す信号を読み込んで、この識別子を用いるのである。
【０１２６】
上述のステップＳ１Ｂにおいて、オーディオディスクＤＫが圧縮オーディオ−ディレクトリを有するディスクである、すなわち、本発明に係る「ＤＶＤオーディオタイプ２」であると判定される場合（ステップＳ１Ｂ、ＹＥＳ）、処理は終了される。一方、オーディオディスクＤＫが圧縮オーディオ−ディレクトリを有していないディスクである、すなわち、従来の「ＤＶＤオーディオディスク」であると判定された場合（ステップＳ１Ｂ、ＮＯ）、制御部６３の処理はステップＳ１以降の処理に移行する。
【０１２７】
このステップＳ１以降の処理を詳述すると、この再生に際して、まず、グループ番号を含む所定のメニューが表示部６１に表示されて、このメニュー上でユーザにより操作部６２を介してグループ番号が入力される。制御部６３は次いで、ユーザによってボーナスプログラムが選択されたか否かが判定される（ステップＳ２）。この結果、最終グループ番号が選択された場合等、ボーナスプログラムが選択された場合には、制御部６３の処理はステップＳ２からステップＳ３に進められる。他の場合にはステップＳ２からステップＳ９に進んで指示に応じた再生が行われる。制御部６３は、ステップＳ３では、図３２に示したパスワードをＡＭＧＩから読み出し、次いでパスワード＝００００か否か、すなわちボーナス情報が収納されているか否かを判断する（ステップＳ４）。そして、ボーナス情報が収納されていない場合には、その旨を表示部６１に表示して（ステップＳ５）、ステップＳ９に進む。
【０１２８】
他方、ステップＳ４においてボーナス情報が含まれている場合には、制御部６３は、パスワードの入力を待つ（ステップＳ６）。パスワードが入力すると、そのパスワードが正しいか否かを判断し（ステップＳ７）、正しい場合にはステップＳ８に進み、正しくない場合にはステップＳ９に進む。ステップＳ８ではボーナスメニューを表示し、次いで指示に応じた再生を行う（ステップＳ９）。
【０１２９】
図５４は、ステップＳ９の処理を詳しく示している。まず、図３３〜３６に示したＡＭＧＩ内のＡＯＴＴ−ＳＲＰＴ（オーディオ・タイトル・サーチ・ポインタ・テーブル）を参照して（ステップＳ１１）、図３６に示したＡＯＴＴ−ＧＲＮ（グループ番号）をサーチして、指定グループに属するオーディオタイトル（ＡＴＴ）をＡＴＳと共にリストアップする（ステップＳ１２）。
【０１３０】
ここで、図３５、図３６に示したＡＴＴ−ＣＡＴ（オーディオ・タイトル・カテゴリ）のビットｂ３〜ｂ０によりグループ番号が解り、また、図３５に示したＡＯＴＴ−ＰＧ−ＮｓによりＡＯＴＴ内のプログラム数（＝トラック数）が解り、また、ＡＴＳＮによりＡＴＳ番号が解り、また、ＡＴＳ−ＴＴＮによりＡＴＳタイトル番号が解る。したがって、図４６に示すグループ番号とオーディオタイトル（ＡＴＴ）番号までが解る。また、このリストアップにより指定グループに属する最後のオーディオタイトル番号Ｉmaxが決まる。次いでオーディオタイトル番号ＡＴＴｉ＝１にセットする（ステップＳ１３）。
【０１３１】
次いで図４０〜図４５に示したＡＴＳＩ内のＡＴＳ−ＰＧＣＩ（ＡＴＳプログラム・チェーン・インフォメーション）を参照して（ステップＳ１４）、ＡＴＴｉのアドレス（すなわちＡＴＳセルのスタートアドレスとエンドアドレス）をサーチしてこれによりＡＴＴｉを再生する（ステップＳ１５）。ここで、図４３に示すＡＴＳ−ＰＧＩ内のＡＴＳ−ＰＧ−ＣＮＴ（コンテンツ）により図４６に示すタイトル番号が解り、また、ＡＴＳ−ＰＧエントリセル番号により図４６に示すインデックスが解る。次いでオーディオタイトル番号ＡＴＴｉをインクリメントし（ステップＳ１６）、次いでステップＳ１７においてｉ＞Ｉmaxでない場合にはステップＳ１４に戻り、他方、ｉ＞Ｉmaxの場合にはこのグループ再生を終了する。
【０１３２】
次に、圧縮オーディオ−ディレクトリ（ＣＡ−Ｄ）を有しているオーディオディスクに対して実行される動作を、図５５及び５６を用いて説明する。
制御部６３は、最初に、ドライブ６６に装填されているオーディオディスクＤＫから、ＤＶＤ復号回路４２を通して、当該オーディオディスクＤＫ上に圧縮オーディオ−ディレクトリ（ＣＡ−Ｄ）が在るか否かを示す信号を読み込む（図５５、ステップＳ２１Ａ）。次いで、制御部６３は、読み込んだ信号を用いて、オーディオディスクＤＫは圧縮オーディオ−ディレクトリを有するディスクであるか否かを判定する（ステップＳ２１Ｂ）。
【０１３３】
この判定において、前述したように、ディスク識別子を用いてオーディオディスクの種類を判定するようにしてもよい。
上述したステップＳ２１Ｂにおいて、オーディオディスクＤＫが圧縮オーディオ−ディレクトリを有していないディスク、すなわち、従来の「ＤＶＤオーディオディスク」であると判定される場合（ステップＳ２１Ｂ、ＮＯ）、制御部６３の処理は終了される。これに対し、オーディオディスクＤＫが圧縮オーディオ−ディレクトリを有するディスクである、すなわち、本発明に係る「ＤＶＤオーディオディスクタイプ２」であると判定される場合（ステップＳ２１Ｂ、ＹＥＳ）、制御部６３はステップＳ２１以降の処理を順次行う。
【０１３４】
これを詳述すると、図５５に示すように、制御部６３は表示部６１にメニューを表示し（ステップＳ２１）、このメニュー上でユーザによりオーディオゾーンが選択されたか否かを判定する（ステップＳ２２）。この結果、オーディオゾーンが選択されたと判定される場合（ステップＳ２２でＹＥＳ）、制御部６３の処理はステップＳ２３に進められ、図５３のステップＳ１〜Ｓ９と同様の処理が行われる。これに対し、メニュー上で圧縮オーディオゾーンが選択される場合（ステップＳ２２でＮＯ）、制御部６３は、グループ番号を判別し（ステップＳ３２）、トラック及び／又はオーディオコーディングモードを選択し（ステップＳ３３）、指示に応じたファイルを読み出す（Ｓ３４）。なお、圧縮オーディオゾーンにボーナスを含む場合には、制御部６３は、図示していないステップＳ２４〜Ｓ３０と同様の処理により、パスワードをＣＡＭＧ管理テーブルまたはＡＭＧＩから読み出して入力されたパスワードが正しい場合にステップＳ３３に進む。
【０１３５】
ところで、上記のようなフォーマットに変換した後、これを通信インターフェース（Ｉ／Ｆ）３９及び通信回線を介して、又は記録部３８により一旦中間記録記媒体に記録して通信インターフェース（Ｉ／Ｆ）３９及び通信回線を介して、ユーザの端末に伝送してユーザがこれを再生するようにもできる。
【０１３６】
図５６は、この場合の処理を示すフローチャートであり、ビデオ信号Ｖを入力して図４９に示すようにオーディオ・エンコード処理すると共に（ステップＳ１０１、Ｓ１０２）、オーディオ信号Ａを入力して図４９に示すように信号処理し（ステップＳ１０３、Ｓ１０４）、更に文字情報やディスク識別子などを入力して符号化する（ステップＳ１０５、Ｓ１０６）。そして、これらの情報を参考１・参考２・第１、第２の実施形態のようなＤＶＤフォーマットに変換し（ステップＳ１０７）、ユーザの端末に伝送するために出力する（ステップＳ１０８）。第１、第２の実施形態のようなＤＶＤフォーマットでは、圧縮されたオーディオファイル（圧縮オーディオファイルＣＡＦ）、ＣＡＭＧ管理テーブル（ＣＡＭＧ−ＭＡＴ）、グループリンク情報（ＧＲＬＩ）、グループ情報（ＧＲＩ）が生成される（ステップＳ１０７）。必要な場合、さらにオーディオデータに関するテキスト情報（ディスク名、グループ名、及びトラック名）が生成される。
【０１３７】
（変形例）
次に他の処理を示す。図５７に示すエンコーダには上記のようにエンコードされたデータをデコードするためのコンピュータプログラムＣＰを入力して、例えば図２９のＣＴＳ部に収納できるように構成される。あるいはさらにエンコードするためのプログラムが入力される。図５８はこの他の処理を示し、ステップＳ１０５’では文字情報やディスク識別子などと共に、参考１・参考２・第１、第２の実施形態のようなフォーマットをデコードするためのプログラムを入力して符号化する。ビデオ信号Ｖとオーディオ信号Ａの処理は図５６に示す場合と同一である。そして、これらの情報を参考１・参考２・第１、第２の実施形態のようなフォーマットに変換してこれをスクランブル処理し（ステップＳ１０７’）、ユーザの端末に伝送するために所定のレートで出力して他の媒体に記録する（ステップＳ１０９、Ｓ１１０）。
【０１３８】
図５９はデータ送信側（エンコード側）とデータ受信側（上記の編集者）の端末（パソコン或いはネットワークターミナル付き記録再生装置；以下、単に「パソコン」と呼ぶ）１０７を示している。また、図６０はデータ受信側のパソコン１０６の処理を示し、このパソコン１０６には、ディスクドライブ装置１０４又はネットワークターミナル１０５から参考１・参考２・第１、第２の実施形態のようなフォーマットのオーディオソースやデコードプログラムが供給される。
【０１３９】
パソコン１０６は例えばインテル社のＰＰ５５Ｃの拡張命令セット（ＭＭＸ）のように、主として画像や音声などのデジタル信号を効率的に処理するために追加された特定用途向けの命令セットを有するＣＰＵ１０６ａと、データ処理時のバッファとして使用されるＲＡＭ１０６ｂと、ディスクドライブ装置１０４又はネットワークターミナル１０５から供給されるデータを変換するデータコンバータ１０６ｃと、処理後のオーディオデータをＤ／Ａ変換器とアンプを介して複数のスピーカ（図では１０３Ｌ、１０３Ｒ、更にはサラウンド用のスピーカ１０３Ｃ、１０３Ｓ）に供給するためのオーディオインタフェース（Ｉ／Ｆ）１０６ｄと、図示省略の表示部の表示制御を行うディスプレイプロセッサ１０６ｅと、図示省略のマウスやキーボードからの操作入力信号に基づいて操作信号を発生する操作信号発生部１０６ｆを有する。
【０１４０】
このような構成において、図６０に示すようにデータ受信側のパソコン１０６のＣＰＵ１０６ａは、上記のデコードプログラムが入力可能な状態で、不図示のキーボードを介してプログラムロード命令（コマンド）が入力すると（ステップＳ１３１）、デコードプログラムをＲＡＭにロードし（ステップＳ１３２）、ロードが終了するとプログラムロードフラグをセットし（ステップＳ１３３）、終了する。このとき、ＣＰＵ１０６ａはＭＭＸ対応であるので、高速信号処理が可能になる。
【０１４１】
また、ＣＰＵ１０６ａは上記のオーディオソースが入力可能な状態で、不図示のキーボードを介してプレイコマンドが入力すると、最初のトラックにアクセスしてそのディスクの種類を示すディスク識別子を読み取り、そのディスク識別子が「オーディオソース」か否かをチェックし（ステップＳ１３４）、ＹＥＳの場合にはデコード処理を実行し（ステップＳ１３５）、次いで処理後のオーディオデータとビデオデータをそれぞれオーディオＩ／Ｆ１０６ｄとディスプレイプロセッサ１０６ｅに渡す（ステップＳ１３６）。次いでステップＳ１３５に戻り、デコード処理を繰り返す。この処理によりユーザは、記録媒体や通信媒体を介して伝送されたオーディオ信号等を再生することができる。なお、ステップＳ１３４において「ＤＶＤオーディオソース」でない場合には「演奏不能」を不図示の表示部に表示し（ステップＳ１３７）、終了する。また、必要な場合、エンコード処理を行うようにしてもよい。
【０１４２】
次に、上記のプログラムや、このプログラムにより処理されたデジタルオーディオ信号を通信回線を介して伝送する実施例について説明する。図６１は図５９に示すパソコン１０６内のネットワークターミナル１０５を詳細に示すブロック図、図６２及び図６３は図６１のデータ変換部の処理を示すフローチャート、図６４は通信ネットワークを示す説明図、図６５は図６４のネットワーク上のパケット処理を示す説明図である。このターミナル１０５はデータ送信側とデータ受信側のパソコン１０６の両方に設けられ、パソコン１０６の内部バスに接続される受信バッファＴ１及び送信バッファＴ２と、データ変換部Ｔ４と、通信インタフェースであるアダプタＴ３と、端末Ｔ６とコントローラＴ５を有する。
【０１４３】
データ送信側のデータ変換部Ｔ４は図６２に示すように、送信バッファＴ２に蓄えられている送信データを所定長に分割してパケット化し（ステップＳ４１）、次いでパケットの先頭には宛て先アドレスを含むヘッダを付与し（ステップＳ４２）、次いでこれをアダプタＴ３と端末Ｔ６を介してネットワークＮＷ上に出力する（ステップＳ４３）。データ受信側のデータ変換部Ｔ４は図６３に示すように、ネットワークＮＷから端末Ｔ６とアダプタＴ３を介して受信したパケットからヘッダを除去し（ステップＳ５１）、次いで受信データを復元し（ステップＳ５２）、次いで、これを受信バッファＴ１を介して図５９に示す内部ＲＡＭ１０６ｂに転送する（ステップＳ５３）。
【０１４４】
データ送信側とデータ受信側の端末Ｔ６は例えば図６４に示すようなネットワークＮＷを介して接続される。このネットワークＮＷでは例えばＣＡＴＶ回線や、インターネットと呼ばれるＴＣＰ／ＩＰ（Transmission Control Protocol/Internet Protocol ）のプロトコルを用いてデータがパケット（○印内に１、○印内に２、○印内に３…で図示）単位で伝送される。この場合、データ送信側から出力されたパケット（○印内に１、○印内に２、○印内に３…で図示）は図６４、図６５に示すように、ネットワークＮＷ上のルータＲにより最適ルートが選択されてパケット（○印内に１、○印内に２、○印内に３…で図示）毎に分離され、次いでルータＲにより分離された各パケットはパケット交換器Ｐｎ（ｎ＝１〜ｋ）を介してパケット（○印内に１、○印内に２、○印内に３…で図示）順にデータ受信側のパソコン１０６に送られる。
【０１４５】
したがって、データ受信側のパソコン１０６では、データ送信側から伝送されたオーディオソースを、プログラムＲＡＭ１０６ｂ上のプログラムに基づいてデコードすることができる。したがって、パソコンユーザはオーディオディスクを必要とせずに再生することができる。
【０１４６】
なお、ＣＰＵ１０６ａが記録再生するＨＤ（ハードディスク）などの記録媒体を設けて、これに一旦受信したオーディオソースを記録し、その後に再生するようにし、これにより、あたかもオーディオディスクを再生するかのように使用することもできる。
【実施例２】
【０１４７】
次に、ボーナスのグループに対するトラックには圧縮したオーディオデータを用意しないようにして圧縮オーディオ（ＣＡ）におけるボーナス管理を簡略化することができる。例えば、図３２において圧縮したオーディオデータを用意しないトラックはＡＴＳ＜ｍ＞に配置されるボーナスのトラックである。
【実施例３】
【０１４８】
また、ディスクにおいて、図６６に示すように、第１のオーディオゾーンであるＤＶＤオーディオ記録領域を内側に配置し、第２のオーディオゾーンである圧縮オーディオ記録領域を外側に連続的に配置するようにできる。これにより再生時のアクセスが高速化できる。
【実施例４】
【０１４９】
第１、第２の実施態様のディスクをコピー先メディア（例えばポータブルプレーヤに収納されたメモリーカード、小型ハードディスクＨＤＤ、等）に記録する方法の一例を、図６７を用いて説明する。この記録方法の処理は、例えば、図５１に示す再生装置の制御部６３により実行される。
【０１５０】
具体的には、図６７に示すように、ユーザがディスクの中のコピーすべきトラック（Ｔｒａｃｋ）を決定し（ステップＳ８１）、コピー先で利用できる圧縮方式の圧縮オーディオファイルがあるか否かを判断する（ステップＳ８２）。コピー先に対応する圧縮オーディオファイルがある場合（ステップＳ８２でＹＥＳ）、コピー先メディアに記録する（ステップＳ８４）。もし、コピー先で利用できる圧縮方式の圧縮オーディオファイルがない場合には（ステップＳ８２でＮＯ）、コピーすべきトラックのＰＣＭデータから所望の圧縮方式で圧縮符号化し（ステップＳ８３）、コピー先メディアに記録する（ステップＳ８４）。
【０１５１】
次に、第１、第２の実施態様のディスクをコピー先メディアに記録して再生する方法の一例を、図６８を用いて説明する。図６８において、ユーザがディスクの中のコピーすべきトラックを決定し（ステップＳ９１）、コピー先で利用できる圧縮方式の圧縮オーディオファイルがあるか否かを判断する（ステップＳ９２）。コピー先に対応する圧縮オーディオファイルがある場合（ステップＳ９２でＹＥＳ）、コピー先メディアに記録する（ステップＳ９４）。もし、コピー先で利用できる圧縮方式の圧縮オーディオファイルがない場合には（ステップＳ９２でＮＯ）、コピーすべきトラックのＰＣＭデータを選択し（ステップＳ９３）、コピー先メディアに記録する（ステップＳ９４）。そして、コピーされたトラックを再生する（ステップＳ９５）。なお、上記ステップＳ９３でコピーすべきトラックのＰＣＭデータから所望の圧縮方式で圧縮符号化するようにしてもよい。
【０１５２】
上記コピー先メディアへＰＣＭデータから記録する場合、前述したオーディオパック（Ａパック）のコピー制限の管理情報、すなわち、”audio copy permission”と”audio copy number”によってユーザに許可するコピー回数が管理されている。また、上記コピー先メディアへ圧縮オーディオファイルから記録する場合、圧縮オーディオファイル情報（ＣＡＦＩ）内に設けられたコピーコントロール情報内の”audio copy permission”と”audio copy number”によってユーザに許可するコピー回数が管理されている。
【０１５３】
本発明は、上記説明のオーディオディスクを再生するだけでなく、コピー先メディアに記録したり、記録して再生したりすることも含まれる。
【図面の簡単な説明】
【０１５４】
【図１】ＤＶＤ−ビデオのフォーマットと、本発明に係るＤＶＤ−オーディオのフォーマットの参考例の実施形態を示す説明図である。
【図２】図１のオーディオコンテンツブロックユニットを示す説明図である。
【図３】図２のオーディオパックとビデオパックのフォーマットを詳しく示す説明図である。
【図４】図２のオーディオコントロールパックのフォーマットを詳しく示す説明図である。
【図５】図４のオーディオキャラクタディスプレイ（ＡＣＤ）エリアのフォーマットを詳しく示す説明図である。
【図６】図５のネームスペース情報により表示される例を示す説明図である。
【図７】図４のオーディオサーチデータエリアのフォーマットを詳しく示す説明図である。
【図８】図１のオーディオコンテンツブロックユニットの他の構成例を示す説明図である。
【図９】参考２の実施形態のＡＣＢＵ及びＶＣＢＵを示す説明図である。
【図１０】参考２の実施形態のＡＣＤ（オーディオキャラクタディスプレイ）情報の他の例を示す説明図である。
【図１１】参考２の実施形態のＡＳＤ（オーディオサーチデータ）を示す説明図である。
【図１２】図９のＣＯＮＴパックを詳しく示す説明図である。
【図１３】図１２のＰＣＩデータを詳しく示す説明図である。
【図１４】図１３のＰＣＩ一般情報を詳しく示す説明図である。
【図１５】図１３の記録情報を詳しく示す説明図である。
【図１６】図１２のＤＳＩデータを詳しく示す説明図である。
【図１７】図１６のＤＳＩ一般情報を詳しく示す説明図である。
【図１８】図１６のシームレス再生情報を詳しく示す説明図である。
【図１９】図１６のシームレス用アングル情報によるシームレス・アングル変更の概念を示す説明図である。
【図２０】図１６のＶＯＢＵサーチ情報の一例を示す説明図である。
【図２１】図１６のＶＯＢＵサーチ情報を詳しく示す説明図である。
【図２２】図１６の同期情報を詳しく示す説明図である。
【図２３】参考１、参考２の実施形態のリードインエリアの構成を示す説明図である。
【図２４】図２３のコントロールデータブロックを詳しく示す説明図である。
【図２５】図２４のフィジカル・フォーマット・インフォメーションを詳しく示す説明図である。
【図２６】図２４の著作権インフォメーションエリアに記録されるＴＯＣ情報の具体例を示す説明図である。
【図２７】図２４の著作権インフォメーションエリアに記録されるＴＯＣ情報を詳しく示す説明図である。
【図２８】図２７の属性情報を詳しく示す説明図である。
【図２９】本発明が適用される情記録媒体の第１の実施形態のディスクの基本フォーマットを示す説明図である。
【図３０】第１の実施形態のオーディオタイトルセット（ＡＴＳ）の一部を示す説明図である。
【図３１】ＤＶＤ−ビデオのフォーマットと、本発明に係るＤＶＤ−オーディオのフォーマットの他の参考例の実施形態を示す説明図である。
【図３２】本発明が適用される情記録媒体の第２の実施形態としてＤＶＤ−オーディオディスクのフォーマットを示す説明図である。
【図３３】図３２のＡＭＧＩ（オーディオ・マネージャ・インフォメーション）とＡＯＴＴ−ＳＲＰＴ（オーディオ・オンリ・タイトル・サーチ・ポインタ・テーブル）のフォーマットを詳しく示す説明図である。
【図３４】図３３のＡＯＴＴ−ＳＲＰＴＩ（オーディオ・オンリ・タイトル・サーチ・ポインタ・テーブル・インフォメーション）のフォーマットを詳しく示す説明図である。
【図３５】図３２のＡＯＴＴ−ＳＲＰ（オーディオ・オンリ・タイトル・サーチ・ポインタ）のフォーマットを詳しく示す説明図である。
【図３６】図３５のＡＴＴ−ＣＡＴ（オーディオ・タイトル・カテゴリ）のフォーマットを詳しく示す説明図である。
【図３７】図３２のＡＴＳ（オーディオ・タイトル・セット）とＡＴＳＩ（オーディオ・タイトル・セット・インフォメーション）のフォーマットを詳しく示す説明図である。
【図３８】図３７のＡＯＴＴ−ＡＯＢＳ（オーディオ・オンリ・タイトル用オーディオ・オブジェクト・セット）のフォーマットを詳しく示す説明図である。
【図３９】図３７のＡＴＳ−ＰＧＣＩＴ（ＡＴＳプログラム・チェーン・インフォメーション・テーブル）のフォーマットを詳しく示す説明図である。
【図４０】図３９のＡＴＳ−ＰＧＣＩ（ＡＴＳプログラム・チェーン・インフォメーション）のフォーマットを詳しく示す説明図である。
【図４１】図４０のＡＴＳ−ＰＧＣ−ＧＩ（ＡＴＳ−ＰＧＣジェネラル・インフォメーション）のフォーマットを詳しく示す説明図である。
【図４２】図４０のＡＴＳ−ＰＧＩＴ（ＡＴＳプログラム・インフォメーション・テーブル）のフォーマットを詳しく示す説明図である。
【図４３】図４２のＡＴＳ−ＰＧＩ（ＡＴＳプログラム・インフォメーション）のフォーマットを詳しく示す説明図である。
【図４４】図４０のＡＴＳ−Ｃ−ＰＢＩＴ（ＡＴＳセル・プレイバック・インフォメーション・テーブル）のフォーマットを詳しく示す説明図である。
【図４５】図４４のＡＴＳ−Ｃ−ＰＢＩ（ＡＴＳセル・プレイバック・インフォメーション）のフォーマットを詳しく示す説明図である。
【図４６】再生側から見た楽曲のデータ構造を示す説明図である。
【図４７】本発明における圧縮オーディオゾーンのデータ配列の一例を説明するための図である。
【図４８】（Ａ）及び（Ｂ）それぞれ図４７のＲＯＭオーディオマネジャのデータ配列を示す図である。
【図４９】オーディオディスクのエンコード装置を示すブロック図である。
【図５０】圧縮データを収納するストリームの図である。
【図５１】本発明に係る再生装置の一例を示すブロック図である。
【図５２】ＤＶＤ復号回路４２及び信号処理回路４３の動作フロー図である。
【図５３】再生処理を説明するためのフローチャートである。
【図５４】図５３のグループ再生処理を詳しく説明するためのフローチャートである。
【図５５】再生処理を説明するためのフローチャートである。
【図５６】オーディオディスクのエンコード方法を示すフローチャートである。
【図５７】オーディオディスクのエンコード装置の他の例を示すブロック図である。
【図５８】オーディオディスクの他のエンコード方法を示すフローチャートである。
【図５９】オーディオデータを伝送するための端末を示すブロック図である。
【図６０】図５９の端末の処理を示すフローチャートである。
【図６１】図５９に示すパソコン内のネットワークターミナルを詳細に示すブロック図である。
【図６２】データ送信側のデータ変換部の処理を示すフローチャートである。
【図６３】データ受信側のデータ変換部の処理を示すフローチャートである。
【図６４】通信ネットワークを示す説明図である。
【図６５】図６４のネットワーク上のパケット処理を示す説明図である。
【図６６】本発明に係る一例のディスクの配置図である。
【図６７】コピー先への記録処理の一例を説明するためのフローチャートである。
【図６８】コピー先へ記録し再生する方法を説明するためのフローチャートである。
【図６９】本発明に係る再生装置の他の例を示すブロック図である。
【符号の説明】
【０１５５】
Ａ  オーディオパック
ＡＣＢ  オーディオコンテンツブロック
ＡＣＢＳ  オーディオコンテンツブロックセット
ＡＣＢＵ  オーディオコンテンツブロックユニット
ＡＭＧ  オーディオマネージャ
ＡＴＳ  オーディオタイトルセット
ＡＴＳＩ  オーディオタイトルセットインフォメーション
Ａ−ＣＯＮＴ  オーディオコントロールパック
ＣＯＮＴ  ナビゲーションコントロールパック
Ｖ  ビデオパック
ＣＡ  圧縮オーディオ
ＣＡＭＧ  圧縮オーディオマネージャ
３４  ＤＶＤフォーマット化部（フォーマット化する手段）
１０６  端末（受信手段）
６１  表示部
６２  操作部（入力手段）
６３  制御部（再生手段）
【図１】
2006048889.tif 000003
【図２】
2006048889.tif 000004
【図３】
2006048889.tif 000005
【図４】
2006048889.tif 000006
【図５】
2006048889.tif 000007
【図６】
2006048889.tif 000008
【図７】
2006048889.tif 000009
【図８】
2006048889.tif 000010
【図９】
2006048889.tif 000011
【図１０】
2006048889.tif 000012
【図１１】
2006048889.tif 000013
【図１２】
2006048889.tif 000014
【図１３】
2006048889.tif 000015
【図１４】
2006048889.tif 000016
【図１５】
2006048889.tif 000017
【図１６】
2006048889.tif 000018
【図１７】
2006048889.tif 000019
【図１８】
2006048889.tif 000020
【図１９】
2006048889.tif 000021
【図２０】
2006048889.tif 000022
【図２１】
2006048889.tif 000023
【図２２】
2006048889.tif 000024
【図２３】
2006048889.tif 000025
【図２４】
2006048889.tif 000026
【図２５】
2006048889.tif 000027
【図２６】
2006048889.tif 000028
【図２７】
2006048889.tif 000029
【図２８】
2006048889.tif 000030
【図２９】
2006048889.tif 000031
【図３０】
2006048889.tif 000032
【図３１】
2006048889.tif 000033
【図３２】
2006048889.tif 000034
【図３３】
2006048889.tif 000035
【図３４】
2006048889.tif 000036
【図３５】
2006048889.tif 000037
【図３６】
2006048889.tif 000038
【図３７】
2006048889.tif 000039
【図３８】
2006048889.tif 000040
【図３９】
2006048889.tif 000041
【図４０】
2006048889.tif 000042
【図４１】
2006048889.tif 000043
【図４２】
2006048889.tif 000044
【図４３】
2006048889.tif 000045
【図４４】
2006048889.tif 000046
【図４５】
2006048889.tif 000047
【図４６】
2006048889.tif 000048
【図４７】
2006048889.tif 000049
【図４８】
2006048889.tif 000050
【図４９】
2006048889.tif 000051
【図５０】
2006048889.tif 000052
【図５１】
2006048889.tif 000053
【図５２】
2006048889.tif 000054
【図５３】
2006048889.tif 000055
【図５４】
2006048889.tif 000056
【図５５】
2006048889.tif 000057
【図５６】
2006048889.tif 000058
【図５７】
2006048889.tif 000059
【図５８】
2006048889.tif 000060
【図５９】
2006048889.tif 000061
【図６０】
2006048889.tif 000062
【図６１】
2006048889.tif 000063
【図６２】
2006048889.tif 000064
【図６３】
2006048889.tif 000065
【図６４】
2006048889.tif 000066
【図６５】
2006048889.tif 000067
【図６６】
2006048889.tif 000068
【図６７】
2006048889.tif 000069
【図６８】
2006048889.tif 000070
【図６９】
2006048889.tif 000071